(57)【要約】  本出願の実施形態は電子デバイスの分野に関し、ユーザが電子デバイスに一連の操作を行なった後にしか動画関連コンテンツのプレビューを行なうことができないことにより、電子デバイスの使用効率が低いという課題を解決する動画プレビュー方法及び電子デバイスを開示する。具体的な解決手段は以下の通りであり、すなわち、電子デバイスが第1の操作を受け付け、第1の操作に応じて電子デバイスのタッチ画面に第1の画面を表示し、第1の画面はホーム画面又は最も左側の画面のページであってもよい。第1の画面が第1の動画アプリケーションの識別子を含む場合、電子デバイスは第1の動画アプリケーションに対応する第1のプレビュー動画を取得し、第1の画面に第1の動画プレビューウインドウを表示し、第1の動画プレビューウインドウで、取得された第1のプレビュー動画を再生する。
2021517319.tif 000002
【特許請求の範囲】
【請求項１】
タッチ画面を有する電子デバイスで実施される動画プレビュー方法であって、前記方法は、
第1の操作を前記電子デバイスによって受け付けるステップと、
前記第1の操作に応じて前記電子デバイスの前記タッチ画面に最も左側の画面を表示するステップと、
前記最も左側の画面のアプリケーション提案ウインドウが第1の動画アプリケーションのアイコンを備える場合に、前記第1の動画アプリケーションがターゲットパーミッションを持つと前記電子デバイスによって判断するステップであって、前記ターゲットパーミッションは、動画アプリケーションがフォアグラウンドで表示されていないときに、前記動画アプリケーションに対応する動画プレビュー再生の許可である、ステップと、
前記第1の動画アプリケーションに対応する第1のプレビュー動画を前記電子デバイスによって取得するステップと、
前記最も左側の画面に第1の動画プレビューウインドウを前記電子デバイスによって加え、前記第1の動画プレビューウインドウで前記第1のプレビュー動画を再生するステップと、
第2の操作を前記電子デバイスによって受け付けるステップと、
前記第2の操作に応じて、前記最も左側の画面内の前記第1の動画プレビューウインドウを前記電子デバイスによって閉じ、前記電子デバイスの前記タッチ画面にホーム画面のページを表示するステップと、
前記ホーム画面の前記ページが前記第1の動画アプリケーションの前記アイコンと第2の動画アプリケーションのアイコンとを備える場合に前記ホーム画面の前記ページのブランクエリアに前記第1の動画プレビューウインドウを前記電子デバイスによって再表示し、前記第1のプレビュー動画を続けて再生するステップであって、前記ブランクエリアは、前記ホーム画面の前記ページが制御用要素を備えないエリアである、ステップと
を備える動画プレビュー方法。
【請求項２】
前記第2の動画アプリケーションが前記ターゲットパーミッションを持たないと前記電子デバイスによって判断するステップ
をさらに備える請求項1に記載の方法。
【請求項３】
前記第2の動画アプリケーションが前記ターゲットパーミッションを持つと前記電子デバイスによって判断し、前記第1の動画アプリケーションの使用頻度が前記第2の動画アプリケーションの使用頻度を超える、前記第1の動画アプリケーションの優先度が前記第2の動画アプリケーションの優先度を超える、又は前記第1の動画アプリケーションの最終使用時刻が前記第2の動画アプリケーションの最終使用時刻よりも後であると判断するステップ
をさらに備える請求項1に記載の方法。
【請求項４】
前記第2の動画アプリケーションに対応する第2のプレビュー動画を前記電子デバイスによって取得するステップと、
前記第1の動画プレビューウインドウで前記第2のプレビュー動画を再生する、又は前記ホーム画面の前記ページの前記ブランクエリアに第2の動画プレビューウインドウを前記電子デバイスによって表示し、前記第2の動画プレビューウインドウで前記第2のプレビュー動画を再生するステップと
をさらに備える請求項1に記載の方法。
【請求項５】
前記最も左側の画面に加えられる前記第1の動画プレビューウインドウは前記アプリケーション提案ウインドウに隣接する、
請求項1から4のいずれか一項に記載の方法。
【請求項６】
タッチ画面を有する電子デバイスで実施される動画プレビュー方法であって、前記方法は、
第1の操作を前記電子デバイスによって受け付けるステップと、
前記第1の操作に応じて前記電子デバイスの前記タッチ画面に第1の画面を表示するステップであって、前記第1の画面はホーム画面又は最も左側の画面のページである、ステップと、
前記第1の画面が第1の動画アプリケーションの識別子を備える場合に前記第1の動画アプリケーションに対応する第1のプレビュー動画を前記電子デバイスによって取得するステップと、
前記第1の画面に第1の動画プレビューウインドウを前記電子デバイスによって表示し、前記第1の動画プレビューウインドウで前記第1のプレビュー動画を再生するステップと
を備える動画プレビュー方法。
【請求項７】
前記第1の画面が第1の動画アプリケーションの識別子を備える場合に前記第1の動画アプリケーションに対応する第1のプレビュー動画を前記電子デバイスによって取得する前記ステップは、
ユーザプロファイルを前記電子デバイスによって取得するステップであって、前記ユーザプロファイルは、ユーザが動画アプリケーションを使用する時間及び場所の少なくとも一方を備える、ステップと、
前記ユーザが前記動画アプリケーションを使用するために前記第1の画面を開くことを前記ユーザプロファイルが示すと前記電子デバイスによって判断するステップと、
前記第1の画面が前記第1の動画アプリケーションの前記識別子を備える場合に前記第1のプレビュー動画を前記電子デバイスによって取得するステップと
を備える、請求項6に記載の方法。
【請求項８】
前記第1の画面が前記最も左側の画面である場合、前記第1の画面が第1の動画アプリケーションの識別子を備える場合に前記第1の動画アプリケーションに対応する第1のプレビュー動画を前記電子デバイスによって取得する前記ステップは、
前記最も左側の画面のアプリケーション提案ウインドウが前記第1の動画アプリケーションの前記識別子を備える場合に前記第1のプレビュー動画を前記電子デバイスによって取得するステップ
を備える、請求項6に記載の方法。
【請求項９】
前記第1の画面が第2の動画アプリケーションの識別子をさらに備える場合において、前記第1の動画アプリケーションに対応する第1のプレビュー動画を前記電子デバイスによって取得する前記ステップの前に、前記第1の動画アプリケーションがターゲットパーミッションを持ち、かつ前記第2の動画アプリケーションが前記ターゲットパーミッションを持たないと前記電子デバイスによって判断するステップ
をさらに備え、
前記ターゲットパーミッションは、動画アプリケーションがフォアグラウンドで表示されていないときに、前記動画アプリケーションに対応する動画プレビュー再生の許可である、
請求項6から8のいずれか一項に記載の方法。
【請求項１０】
前記第1の画面が第2の動画アプリケーションの識別子をさらに備える場合において、前記第1の動画アプリケーションに対応する第1のプレビュー動画を前記電子デバイスによって取得する前記ステップの前に、前記第1の動画アプリケーションと前記第2の動画アプリケーションとの両方がターゲットパーミッションを持つと前記電子デバイスによって判断し、前記第1の動画アプリケーションの使用頻度が前記第2の動画アプリケーションの使用頻度を超える、前記第1の動画アプリケーションの優先度が前記第2の動画アプリケーションの優先度を超える、又は前記第1の動画アプリケーションの最終使用時刻が前記第2の動画アプリケーションの最終使用時刻よりも後であると判断するステップ
をさらに備え、
前記ターゲットパーミッションは、動画アプリケーションがフォアグラウンドで表示されていないときに、前記動画アプリケーションに対応する動画プレビュー再生の許可である、
請求項6から8のいずれか一項に記載の方法。
【請求項１１】
前記第1の画面が第2の動画アプリケーションの識別子をさらに備える場合に、前記第2の動画アプリケーションに対応する第2のプレビュー動画を前記電子デバイスによって取得するステップと、
前記第1の動画プレビューウインドウで前記第2のプレビュー動画を再生する、又は前記第1の画面に第2の動画プレビューウインドウを前記電子デバイスによって表示し、前記第2の動画プレビューウインドウで前記第2のプレビュー動画を再生するステップと
をさらに備える請求項6から8のいずれか一項に記載の方法。
【請求項１２】
前記最も左側の画面の前記アプリケーション提案ウインドウが第2の動画アプリケーションの識別子と第3の動画アプリケーションの識別子とをさらに備える場合に、前記第2の動画アプリケーションに対応する第2のプレビュー動画と前記第3の動画アプリケーションに対応する第3のプレビュー動画とを前記電子デバイスによって取得するステップと、
前記最も左側の画面に第2の動画プレビューウインドウを前記電子デバイスによって加え、前記第2の動画プレビューウインドウで前記第2のプレビュー動画を再生するステップと、
スライド操作を前記電子デバイスによって受け付けるステップと、
前記スライド操作に応じて、前記最も左側の画面に第3の動画プレビューウインドウを前記電子デバイスによって加え、前記第3の動画プレビューウインドウで前記第3のプレビュー動画を再生するステップと
をさらに備える請求項8に記載の方法。
【請求項１３】
前記識別子はアプリケーションのアイコン又はアプリケーションのwidgetである、又は
前記第1の動画プレビューウインドウは、以下の制御用要素、すなわち、一時停止／再生ボタン、前ボタン、次ボタン、閉ボタン及び最大化ボタンの1つ以上を備える、又は
前記第1の動画プレビューウインドウは前記第1の画面のブランクエリアに表示され、前記ブランクエリアは、前記第1の画面が制御用要素を備えないエリアである、
請求項6から12のいずれか一項に記載の方法。
【請求項１４】
第1の操作を受け付けるように構成される入力部と、
前記入力部によって取得された前記第1の操作に応じて最も左側の画面を表示するように構成される表示部と、
前記表示部によって表示されている前記最も左側の画面のアプリケーション提案ウインドウが第1の動画アプリケーションのアイコンを備える場合に、前記第1の動画アプリケーションがターゲットパーミッションを持つと判断し、前記ターゲットパーミッションは、動画アプリケーションがフォアグラウンドで表示されていないときに、前記動画アプリケーションに対応する動画プレビュー再生の許可である、ように構成される判断部と、
前記第1の動画アプリケーションに対応する第1のプレビュー動画を取得するように構成される取得部と
を備える電子デバイスであって、
前記表示部は、前記最も左側の画面に第1の動画プレビューウインドウを加え、前記第1の動画プレビューウインドウで、前記取得部によって取得された前記第1のプレビュー動画を再生するようにさらに構成され、
前記入力部は、第2の操作を受け付けるようにさらに構成され、
前記表示部は、前記入力部によって受け付けた前記第2の操作に応じて、前記最も左側の画面内の前記第1の動画プレビューウインドウを閉じて、ホーム画面のページを表示し、前記ホーム画面のページであって、前記表示部によって表示されている前記ページが前記第1の動画アプリケーションの前記アイコンと第2の動画アプリケーションのアイコンとを備える場合に前記ホーム画面の前記ページのブランクエリアに前記第1の動画プレビューウインドウを再表示し、前記第1のプレビュー動画を再生し続け、前記ブランクエリアは、前記ホーム画面の前記ページが制御用要素を備えないエリアである、ようにさらに構成される、
電子デバイス。
【請求項１５】
前記判断部は、前記第2の動画アプリケーションが前記ターゲットパーミッションを持たないと判断するようにさらに構成される、請求項14に記載の電子デバイス。
【請求項１６】
前記判断部は、前記第2の動画アプリケーションが前記ターゲットパーミッションを持つと判断し、前記第1の動画アプリケーションの使用頻度が前記第2の動画アプリケーションの使用頻度を超える、前記第1の動画アプリケーションの優先度が前記第2の動画アプリケーションの優先度を超える、又は前記第1の動画アプリケーションの最終使用時刻が前記第2の動画アプリケーションの最終使用時刻よりも後であると判断するようにさらに構成される、請求項14に記載の電子デバイス。
【請求項１７】
前記取得部は、前記第2の動画アプリケーションに対応する第2のプレビュー動画を取得するようにさらに構成され、
前記表示部は、前記第1の動画プレビューウインドウで、前記取得部によって取得された前記第2のプレビュー動画を再生する、又は前記ホーム画面の前記ページの前記ブランクエリアに第2の動画プレビューウインドウを表示し、前記第2の動画プレビューウインドウで、前記取得部によって取得された前記第2のプレビュー動画を再生するようにさらに構成される、
請求項14に記載の電子デバイス。
【請求項１８】
前記最も左側の画面に加えられる前記第1の動画プレビューウインドウは前記アプリケーション提案ウインドウに隣接する、請求項14から17のいずれか一項に記載の電子デバイス。
【請求項１９】
第1の操作を受け付けるように構成される入力部と、
前記入力部によって取得された前記第1の操作に応じて第1の画面を表示し、前記第1の画面はホーム画面又は最も左側の画面のページである、ように構成される表示部と、
前記表示部によって表示されている前記第1の画面が第1の動画アプリケーションの識別子を備える場合に前記第1の動画アプリケーションに対応する第1のプレビュー動画を取得するように構成される取得部と
を備える電子デバイスであって、
前記表示部は、前記第1の画面に第1の動画プレビューウインドウを表示し、前記第1の動画プレビューウインドウで、前記取得部によって取得された前記第1のプレビュー動画を再生するようにさらに構成される、
電子デバイス。
【請求項２０】
前記取得部は、
ユーザプロファイルを取得し、前記ユーザプロファイルは、ユーザが動画アプリケーションを使用する時間及び場所の少なくとも一方を備え、
前記ユーザが前記動画アプリケーションを使用するために前記第1の画面を開くことを前記ユーザプロファイルが示すと判断し、
前記第1の画面が前記第1の動画アプリケーションの前記識別子を備える場合に前記第1のプレビュー動画を取得する、
ように特に構成される、請求項19に記載の電子デバイス。
【請求項２１】
前記第1の画面が前記最も左側の画面である場合、前記取得部は、
前記最も左側の画面のアプリケーション提案ウインドウが前記第1の動画アプリケーションの前記識別子を備える場合に前記第1のプレビュー動画を取得する
ように特に構成される、請求項19に記載の電子デバイス。
【請求項２２】
前記第1の画面が第2の動画アプリケーションの識別子をさらに備える場合に、前記第1の動画アプリケーションがターゲットパーミッションを持ち、かつ前記第2の動画アプリケーションが前記ターゲットパーミッションを持たないと判断するように構成される判断部
をさらに備え、
前記ターゲットパーミッションは、動画アプリケーションがフォアグラウンドで表示されていないときに、前記動画アプリケーションに対応する動画プレビュー再生の許可である、
請求項19から21のいずれか一項に記載の電子デバイス。
【請求項２３】
前記第1の画面が第2の動画アプリケーションの識別子をさらに備える場合に、前記第1の動画アプリケーションと前記第2の動画アプリケーションとの両方がターゲットパーミッションを持つと判断し、前記第1の動画アプリケーションの使用頻度が前記第2の動画アプリケーションの使用頻度を超える、前記第1の動画アプリケーションの優先度が前記第2の動画アプリケーションの優先度を超える、又は前記第1の動画アプリケーションの最終使用時刻が前記第2の動画アプリケーションの最終使用時刻よりも後であると判断するように構成される判断部
をさらに備え、
前記ターゲットパーミッションは、動画アプリケーションがフォアグラウンドで表示されていないときに、前記動画アプリケーションに対応する動画プレビュー再生の許可である、
請求項19から21のいずれか一項に記載の電子デバイス。
【請求項２４】
前記取得部は、前記第1の画面が第2の動画アプリケーションの識別子をさらに備える場合に、前記第2の動画アプリケーションに対応する第2のプレビュー動画を取得するようにさらに構成され、
前記表示部は、前記第1の動画プレビューウインドウで、前記取得部によって取得された前記第2のプレビュー動画を再生する、又は前記第1の画面に第2の動画プレビューウインドウを表示し、前記第2の動画プレビューウインドウで、前記取得部によって取得された前記第2のプレビュー動画を再生するようにさらに構成される、
請求項19から21のいずれか一項に記載の電子デバイス。
【請求項２５】
前記取得部は、前記最も左側の画面の前記アプリケーション提案ウインドウが第2の動画アプリケーションの識別子と第3の動画アプリケーションの識別子とをさらに備える場合に、前記第2の動画アプリケーションに対応する第2のプレビュー動画と前記第3の動画アプリケーションに対応する第3のプレビュー動画とを取得するようにさらに構成され、
前記表示部は、前記最も左側の画面に第2の動画プレビューウインドウを加え、前記第2の動画プレビューウインドウで前記第2のプレビュー動画を再生するようにさらに構成され、
前記入力部は、スライド操作を受け付けるようにさらに構成され、
前記表示部は、前記入力部によって取得された前記スライド操作に応じて、前記最も左側の画面に第3の動画プレビューウインドウを加え、前記第3の動画プレビューウインドウで前記第3のプレビュー動画を再生するようにさらに構成される、
請求項21に記載の電子デバイス。
【請求項２６】
前記識別子はアプリケーションのアイコン又はアプリケーションのwidgetである、又は
前記第1の動画プレビューウインドウは、以下の制御用要素、すなわち、一時停止／再生ボタン、前ボタン、次ボタン、閉ボタン及び最大化ボタンの1つ以上を備える、又は
前記第1の動画プレビューウインドウは前記第1の画面のブランクエリアに表示され、前記ブランクエリアは、前記第1の画面が制御用要素を備えないエリアである、
請求項19から25のいずれか一項に記載の電子デバイス。
【請求項２７】
1つ以上のプロセッサ、メモリ、タッチ画面及び1つ以上のコンピュータプログラムを備える電子デバイスであって、前記1つ以上のプロセッサ、前記メモリ、前記タッチ画面及び前記1つ以上のコンピュータプログラムは1つ以上の通信バスを用いて接続され、前記タッチ画面はタッチ面及びディスプレイを備え、前記1つ以上のコンピュータプログラムは前記メモリに記憶されて、前記1つ以上のプロセッサによって実行されるように構成され、前記1つ以上のコンピュータプログラムは指示を備え、前記指示は請求項1から5又は請求項6から13のいずれか一項に記載の動画プレビュー方法を実行するのに用いられる、電子デバイス。
【請求項２８】
コンピュータ指示を備えるコンピュータ記憶媒体であって、前記コンピュータ指示が電子デバイス上で動作させられるとき、前記電子デバイスが請求項1から5又は請求項6から13のいずれか一項に記載の動画プレビュー方法を実行することが可能にされる、コンピュータ記憶媒体。
【請求項２９】
コンピュータプログラムプロダクトであって、前記コンピュータプログラムプロダクトがコンピュータ上で動作させられるとき、前記コンピュータが請求項1から5又は請求項6から13のいずれか一項に記載の動画プレビュー方法を実行することが可能にされる、コンピュータプログラムプロダクト。
【発明の詳細な説明】
【技術分野】
【０００１】
本出願は、2018年3月28日に中国国家知識産権局に出願され、名称が「動画アプリケーションの魅力を高める方法」である中国特許出願第201810265839．6号の優先権を主張し、本中国特許出願の全体が参照により本明細書に援用される。
【０００２】
本出願の実施形態は電子デバイスの分野に関し、特に動画プレビュー方法及び電子デバイスに関する。
【背景技術】
【０００３】
マルチメディア技術の急速な発展にともない、動画を再生するのに多数の種類の動画アプリケーションが用いられ、機能がより強力になっている。また、電子デバイス（スマートフォンやタブレットなど）の急速な普及にともない、ユーザが興味を持っている映画、連続テレビ番組、娯楽番組などをユーザが時と場所とを問わずに視聴するために、電子デバイスに動画アプリケーションをインストールする傾向がますます高まっている。
【０００４】
先行技術においては、ユーザが動画アプリケーションを開いた後、動画関連コンテンツのプレビューがユーザに提示される。たとえば、ユーザは携帯電話器のデスクトップを開き、デスクトップに表示されている動画アプリケーションのアイコンをタップして動画アプリケーションを開く。この場合、動画アプリケーションは、推奨された動画関連コンテンツのプレビューをホームページに提示する場合がある。ユーザが電子デバイス上で一連の操作を行なってようやく、動画関連コンテンツのプレビューが見られると分かる。したがって、上記の操作により電子デバイスの使用効率が大幅に減少する。
【発明の概要】
【課題を解決するための手段】
【０００５】
本出願は、ユーザが電子デバイスに一連の操作を行なってようやく動画関連コンテンツのプレビューが行なわれるため電子デバイスの使用効率が低いという課題を解決する、動画プレビュー方法及び電子デバイスを提供する。
【０００６】
上記の目的を達成するために、本出願では以下の技術的解決手段が用いられる。
【０００７】
本出願の第1の態様に係れば、動画プレビュー方法が提供される。方法は、タッチ画面を有する電子デバイスで実施されてもよい。方法は、第1の操作を電子デバイスによって受け付けるステップと、受け付けられた第1の操作に応じて電子デバイスのタッチ画面に最も左側の画面を表示するステップと、最も左側の画面のアプリケーション提案ウインドウが第1の動画アプリケーションのアイコンを含む場合に、第1の動画アプリケーションがターゲットパーミッションを持つと電子デバイスによって判断するステップであって、ターゲットパーミッションは、動画アプリケーションがフォアグラウンドで表示されていないときに、動画アプリケーションに対応する動画プレビュー再生の許可である、ステップと、第1の動画アプリケーションに対応する第1のプレビュー動画を電子デバイスによって取得するステップと、最も左側の画面に第1の動画プレビューウインドウを加え、加えられた第1の動画プレビューウインドウで取得された第1のプレビュー動画を再生するステップと、第2の操作を電子デバイスによって受け付けるステップと、第2の操作に応じて、最も左側の画面内の第1の動画プレビューウインドウを電子デバイスによって閉じ、電子デバイスのタッチ画面にホーム画面のページを表示するステップと、ホーム画面のページが第1の動画アプリケーションのアイコンと第2の動画アプリケーションのアイコンとを含む場合に、ホーム画面のページのブランクエリアに第1の動画プレビューウインドウを電子デバイスによって再表示し、第1のプレビュー動画を続けて再生するステップであって、ブランクエリアは、ホーム画面のページが制御用要素を含まないエリアである、ステップとを含んでもよい。
【０００８】
本出願において提供される上記の動画プレビュー方法に係れば、ユーザが最も左側の画面を開くとき、アプリケーション提案ウインドウが動画アプリケーションのアイコンを含み、アプリケーション提案ウインドウに含まれるアイコンはユーザによって頻繁に使用されるアプリケーションに通常属するので、ユーザが最も左側の画面を開く使用意図が動画アプリケーションを使用することであると予測され得る。この場合、電子デバイスは、最も左側の画面で、動画アプリケーションに対応するプレビュー動画を再生してもよい。このようにして、ユーザが動画アプリケーションを開かずに動画アプリケーションに対応するプレビュー動画を視聴できることにより、ユーザ操作の煩雑さを低減し、電子デバイスの使用効率を改善し、電子デバイスとユーザとの効果的なやり取りを図る。さらに、ユーザが最も左側の画面からホーム画面のページにスライドを行なう場合において、ホーム画面のページが最も左側の画面内の動画アプリケーションのアイコンを含む場合、ユーザが動画アプリケーションに注意を向け使用するよう、最も左側の画面で再生されたプレビュー動画が続けて再生される。
【０００９】
可能な実現例では、方法は、ホーム画面のページであって、電子デバイスのタッチ画面に表示されているページが、ターゲットパーミッションを持つ第1の動画アプリケーションのアイコンと第2の動画アプリケーションのアイコンとを含む場合に、第2の動画アプリケーションがターゲットパーミッションを持つか否かを電子デバイスによって判断するステップと、第2の動画アプリケーションがターゲットパーミッションを持たないと判断する場合に、ホーム画面のページのブランクエリアに第1の動画プレビューウインドウを再表示するステップと、第1のプレビュー動画を続けて再生するステップとをさらに含んでもよい。電子デバイスのタッチ画面の寸法が限られていることを考えれば、電子デバイスのタッチ画面に表示されているインタフェースが複数の動画アプリケーションのアイコンを含む場合、すべての動画アプリケーションに対応するプレビュー動画が表示されると、インタフェースでの元来の操作が妨げられるおそれがあり、ユーザエクスペリエンスが劣る。したがって、本出願では、ターゲットパーミッションを持つ動画アプリケーションに対応するプレビュー動画が再生用に選択され、ユーザエクスペリエンスを改善する。
【００１０】
別の可能な実現例では、方法は、ホーム画面のページであって、電子デバイスのタッチ画面に表示されているページがターゲットパーミッションを持つ第1の動画アプリケーションのアイコンと第2の動画アプリケーションのアイコンとを含む場合に、第2の動画アプリケーションがターゲットパーミッションを持つか否かを電子デバイスによって判断するステップ、及び第2の動画アプリケーションもターゲットパーミッションを持つと判断する場合において、第1の動画アプリケーションの使用頻度が第2の動画アプリケーションの使用頻度を超える、第1の動画アプリケーションの優先度が第2の動画アプリケーションの優先度を超える、若しくは第1の動画アプリケーションの最終使用時刻が第2の動画アプリケーションの最終使用時刻よりも後であると判断するとき、ホーム画面のページのブランクエリアに第1の動画プレビューウインドウを電子デバイスによって再表示して、第1のプレビュー動画を続けて再生するステップ、又は第1の動画アプリケーションの使用頻度が第2の動画アプリケーションの使用頻度未満である、第1の動画アプリケーションの優先度が第2の動画アプリケーションの優先度未満である、若しくは第1の動画アプリケーションの最終使用時刻が第2の動画アプリケーションの最終使用時刻よりも前であると判断するとき、第2の動画アプリケーションに対応する第2のプレビュー動画を電子デバイスによって取得し、ホーム画面のページのブランクエリアに第1の動画プレビューウインドウを再表示し、第1の動画プレビューウインドウで第2のプレビュー動画を再生するステップ、又はホーム画面のページのブランクエリアに第2の動画プレビューウインドウを表示し、第2の動画プレビューウインドウで第2のプレビュー動画を再生するステップをさらに含んでもよい。このようにして、電子デバイスのタッチ画面に表示されているインタフェースがターゲットパーミッションを持つ複数の動画アプリケーションのアイコンを含む場合に、特定の条件を満たす動画アプリケーションに対応するプレビュー動画が選択されて再生され、これにより、再生されるプレビュー動画がユーザの使用要求をよりよく満たすことができることで、ユーザエクスペリエンスを改善する。
【００１１】
別の可能な実現例では、方法は、ホーム画面のページであって、電子デバイスのタッチ画面に表示されているページが第1の動画アプリケーションのアイコンと第2の動画アプリケーションのアイコンとを含む場合に、第2の動画アプリケーションに対応する第2のプレビュー動画を電子デバイスによって取得するステップと、第1の動画プレビューウインドウで第2のプレビュー動画を再生する、又はホーム画面のページのブランクエリアに第2の動画プレビューウインドウを表示し、第2の動画プレビューウインドウで第2のプレビュー動画を再生するステップとをさらに含んでもよい。このようにして、電子デバイスのタッチ画面に表示されているインタフェースが複数の動画アプリケーションのアイコンを含む場合に、電子デバイスは各動画アプリケーションに対応するプレビュー動画を再生することができる。
【００１２】
別の可能な実現例では、最も左側の画面に加えられる第1の動画プレビューウインドウはアプリケーション提案ウインドウに隣接する。これは、ユーザが視聴するのに便利である。
【００１３】
別の可能な実現例では、第1のプレビュー動画を再生するプロセスで電子デバイスが操作を受け付けない場合、第1のプレビュー動画の再生が完了させられた後、最も左側の画面内の第1の動画プレビューウインドウを電子デバイスが閉じて、最も左側の画面の元の表示箇所に元のウインドウを表示する。このようにして、プレビュー動画を再生するプロセスで、電子デバイスがユーザ操作を受け付けない場合、ユーザが最も左側の画面を開く使用意図が動画アプリケーションを使用することではないと予測され得る。この場合、プレビュー動画の再生が完了させられた後、電子デバイスが動画プレビューウインドウを閉じてもよく、これにより、ユーザとの電子デバイスのインテリジェントなやり取り能力をさらに改善する。
【００１４】
本出願の第2の態様に係れば、動画プレビュー方法が提供される。動画プレビュー方法は、タッチ画面を有する電子デバイスで実施されてもよく、方法は、
第1の操作を電子デバイスによって受け付けるステップと、第1の操作に応じて電子デバイスのタッチ画面に第1の画面を表示するステップであって、第1の画面はホーム画面又は最も左側の画面のページであってもよい、ステップと、第1の画面が第1の動画アプリケーションの識別子を含む場合に第1の動画アプリケーションに対応する第1のプレビュー動画を電子デバイスによって取得するステップと、第1の画面に第1の動画プレビューウインドウを表示し、第1の動画プレビューウインドウで、取得された第1のプレビュー動画を再生するステップとを含んでもよい。
【００１５】
本出願において提供される上記の動画プレビュー方法に係れば、動画アプリケーションの識別子を含むホーム画面又は最も左側の画面をユーザが開くとき、ホーム画面又は最も左側の画面で、電子デバイスが動画アプリケーションに対応するプレビュー動画を再生することができ、ユーザは動画アプリケーションを開く必要がない。このようにして、ユーザ操作の煩雑さが低減され、電子デバイスの使用効率が改善され、電子デバイスとユーザとの効果的なやり取りが実施される。
【００１６】
可能な実現例では、第1の画面が第1の動画アプリケーションの識別子を含む場合に第1の動画アプリケーションに対応する第1のプレビュー動画を電子デバイスによって取得するステップは、ユーザプロファイルを電子デバイスによって取得するステップであって、ユーザプロファイルは、ユーザが動画アプリケーションを使用する時間及び場所の少なくとも一方を含んでもよい、ステップと、ユーザが動画アプリケーションを使用するために第1の画面を開くことをユーザプロファイルが示すと電子デバイスによって判断するステップと、第1の画面が第1の動画アプリケーションの識別子を含む場合に第1のプレビュー動画を電子デバイスによって取得するステップとを特に含んでもよい。このようにして、ユーザプロファイルが取得されて、ユーザが第1の画面を開く使用意図を判断する。ユーザが第1の画面を開く使用意図が動画アプリケーションを使用することであり、かつ第1の画面が第1の動画アプリケーションの識別子を含むと判断される場合にだけ、電子デバイスが動画アプリケーションに対応するプレビュー動画を第1の画面で再生するので、プレビュー動画を電子デバイスによって再生する動作がユーザの使用要求により近く、ユーザエクスペリエンスが改善される。
【００１７】
別の可能な実現例では、第1の画面が最も左側の画面である場合、第1の画面が第1の動画アプリケーションの識別子を含む場合に第1の動画アプリケーションに対応する第1のプレビュー動画を電子デバイスによって取得するステップは、最も左側の画面のアプリケーション提案ウインドウが第1の動画アプリケーションの識別子を含む場合に第1のプレビュー動画を電子デバイスによって取得するステップを特に含んでもよい。最も左側の画面のアプリケーション提案ウインドウはユーザによって頻繁に使用されるアプリケーションのアイコンを含むので、ユーザが最も左側の画面を開き、最も左側の画面のアプリケーション提案ウインドウが第1の動画アプリケーションの識別子を含むとき、電子デバイスは最も左側の画面でプレビュー動画を再生する。このようにして、プレビュー動画を電子デバイスによって再生する動作がユーザの使用要求により近く、ユーザエクスペリエンスが改善される。
【００１８】
別の可能な実現例では、方法は、第1の画面が第2の動画アプリケーションの識別子をさらに含む場合において、第1の動画アプリケーションに対応する第1のプレビュー動画を電子デバイスによって取得するステップの前に、第1の動画アプリケーションがターゲットパーミッションを持ち、かつ第2の動画アプリケーションがターゲットパーミッションを持たないと電子デバイスによって判断するステップをさらに含んでもよく、ターゲットパーミッションは、動画アプリケーションがフォアグラウンドで表示されていないときに、動画アプリケーションに対応する動画プレビュー再生の許可である。このようにして、電子デバイスのタッチ画面に表示されているインタフェースが複数の動画アプリケーションのアイコンを含む場合に、ターゲットパーミッションを持つ動画アプリケーションに対応するプレビュー動画が選択されて再生される。したがって、タッチ画面の寸法が限られる場合に、過剰な数のプレビュー動画が再生されることによりインタフェースでの元来の操作が妨げられる問題が効果的に避けられ、これによりユーザエクスペリエンスを改善する。
【００１９】
別の可能な実現例では、方法は、第1の画面が第2の動画アプリケーションの識別子をさらに含む場合において、第1の動画アプリケーションに対応する第1のプレビュー動画を電子デバイスによって取得するステップの前に、第1の動画アプリケーションと第2の動画アプリケーションとの両方がターゲットパーミッションを持つと電子デバイスによって判断し、第1の動画アプリケーションの使用頻度が第2の動画アプリケーションの使用頻度を超える、第1の動画アプリケーションの優先度が第2の動画アプリケーションの優先度を超える、又は第1の動画アプリケーションの最終使用時刻が第2の動画アプリケーションの最終使用時刻よりも後であると判断するステップをさらに含んでもよく、ターゲットパーミッションは、動画アプリケーションがフォアグラウンドで表示されていないときに、動画アプリケーションに対応する動画プレビュー再生の許可である。このようにして、電子デバイスのタッチ画面に表示されているインタフェースがターゲットパーミッションを持つ複数の動画アプリケーションのアイコンを含む場合に、特定の条件を満たす動画アプリケーションに対応するプレビュー動画が選択されて再生され、これにより、再生されるプレビュー動画がユーザの使用要求をよりよく満たすことができることで、ユーザエクスペリエンスを改善する。
【００２０】
別の可能な実現例では、方法は、第1の画面が第2の動画アプリケーションの識別子をさらに含む場合に、第2の動画アプリケーションに対応する第2のプレビュー動画を電子デバイスによって取得するステップと、第1の動画プレビューウインドウで第2のプレビュー動画を再生する、又は第1の画面に第2の動画プレビューウインドウを表示し、第2の動画プレビューウインドウで第2のプレビュー動画を再生するステップとをさらに含んでもよい。このようにして、電子デバイスのタッチ画面に表示されているインタフェースが複数の動画アプリケーションのアイコンを含む場合に、電子デバイスは各動画アプリケーションに対応するプレビュー動画を再生することができる。
【００２１】
別の可能な実現例では、方法は、最も左側の画面のアプリケーション提案ウインドウが第2の動画アプリケーションの識別子と第3の動画アプリケーションの識別子とをさらに含む場合に、第2の動画アプリケーションに対応する第2のプレビュー動画と第3の動画アプリケーションに対応する第3のプレビュー動画とを電子デバイスによって取得するステップと、最も左側の画面に第2の動画プレビューウインドウを加え、第2の動画プレビューウインドウで第2のプレビュー動画を再生するステップと、スライド操作を電子デバイスによって受け付けるステップと、スライド操作に応じて、最も左側の画面に第3の動画プレビューウインドウを電子デバイスによって加え、第3の動画プレビューウインドウで第3のプレビュー動画を再生するステップとをさらに含んでもよい。このようにして、最も左側にあって、電子デバイスのタッチ画面に表示されているアプリケーション提案ウインドウが複数の動画アプリケーションのアイコンを含む場合、電子デバイスは各動画アプリケーションに対応するプレビュー動画を再生することができる。これは、再生されたプレビュー動画に基づいて、ユーザが好む動画アプリケーションをユーザが選択するのに便利であり、これにより、ユーザエクスペリエンスを改善する。
【００２２】
別の可能な実現例では、識別子はアプリケーションのアイコン又はアプリケーションのウィジェット（widget）であってもよい。
【００２３】
別の可能な実現例では、第1の動画プレビューウインドウは、以下の制御用要素、すなわち、一時停止／再生ボタン、前ボタン、次ボタン、閉ボタン及び最大化ボタンの1つ以上を含む。このようにして、ユーザはウインドウ内の異なる制御用要素の操作を行なうことができ、これによりユーザとの電子デバイスのインテリジェントなやり取り能力をさらに改善する。
【００２４】
別の可能な実現例では、第1の動画プレビューウインドウは第1の画面のブランクエリアに表示され、ブランクエリアは、第1の画面が制御用要素を含まないエリアである。このようにして、第1の画面に表示されている別の制御用要素が遮られることがなく、ユーザが別の制御用要素の操作を行なうのに便利である。
【００２５】
別の可能な実現例では、方法は、第1のプレビュー動画を再生するプロセスで電子デバイスが操作を受け付けない場合、第1のプレビュー動画の再生が完了させられた後に第1の動画プレビューウインドウを電子デバイスによって閉じるステップをさらに含んでもよい。このようにして、プレビュー動画を再生するプロセスで、電子デバイスがユーザ操作を受け付けない場合、ユーザが最も左側の画面を開く使用意図が動画アプリケーションを使用することではないと予測され得る。この場合、プレビュー動画の再生が完了させられた後、電子デバイスが動画プレビューウインドウを閉じてもよく、これにより、ユーザとの電子デバイスのインテリジェントなやり取り能力をさらに改善する。
【００２６】
別の可能な実現例では、方法は、第2の操作を電子デバイスによって受け付け、第2の操作に応じて、第1の動画プレビューウインドウを閉じ、電子デバイスのタッチ画面に第2の画面を表示するステップと、第3の操作を電子デバイスによって受け付け、第3の操作に応じて、第1の画面を再表示し、第1の画面で第1の動画プレビューウインドウを再表示するステップとをさらに含んでもよい。
【００２７】
別の可能な実現例では、電子デバイスは再表示された第1の動画プレビューウインドウで第1のプレビュー動画を続けて再生する、又は再表示された第1の動画プレビューウインドウで第1のプレビュー動画を再度再生する。
【００２８】
別の可能な実現例では、第1のプレビュー動画は第1の動画アプリケーションによってユーザに推奨された動画の関連コンテンツのプレビューである、又は第1のプレビュー動画は第1の動画アプリケーションでユーザによって登録された動画の関連コンテンツのプレビューである。これは、ユーザによって登録された動画又は現在人気のある動画をユーザが知るのに便利である。
【００２９】
別の可能な実現例では、方法は、電子デバイスによって第1の切り替え操作を受け付けるステップと、第1の切り替え操作に応じて第4のプレビュー動画を電子デバイスによって取得するステップであって、第4のプレビュー動画は第1の動画アプリケーションに対応し、かつ第1のプレビュー動画とは異なるプレビュー動画である、又は第4のプレビュー動画は第2の動画アプリケーションに対応するプレビュー動画である、ステップと、第1のプレビュー動画ウインドウで第4のプレビュー動画を電子デバイスによって再生するステップとをさらに含んでもよい。このようにして、ユーザ操作に基づいて電子デバイスが別のプレビュー動画を再生するので、動画アプリケーションがフォアグラウンドで表示されていないときにユーザはより多くのプレビュー動画を視聴することができることで、ユーザエクスペリエンスをさらに改善する。
【００３０】
別の可能な実現例では、方法は、第2の切り替え操作を電子デバイスによって受け付けるステップと、第2の切り替え操作に応じて第1の動画プレビューウインドウを電子デバイスによって閉じるステップとをさらに含んでもよい。このようにして、ユーザがプレビュー動画を視聴することを望まないときに、ユーザは第2の切り替え操作を実行することによっていつでもインタフェースに表示されている動画プレビューウインドウを閉じることができる。
【００３１】
別の可能な実現例では、方法は、第3の切り替え操作を電子デバイスによって受け付けるステップと、第3の切り替え操作に応じて第1の動画アプリケーションを電子デバイスによって開くステップと、第1の動画アプリケーションを用いて第1のプレビュー動画を続けて再生するステップとをさらに含んでもよい。このようにして、ユーザは第3の切り替え操作を実行することによって現在のプレビュー動画に対応する動画アプリケーションを開くことができる。これはプレビュー動画の関連コンテンツをブラウジングし続けるのに便利であり、これにより、ユーザエクスペリエンスを改善する。
【００３２】
別の可能な実現例では、方法は、動画サーバに要求メッセージを電子デバイスによって送るステップであって、要求メッセージは、第1の動画アプリケーションに対応するプレビュー動画を動画サーバに要求するのに用いられる、ステップと、第1の動画アプリケーションに対応し、かつ動画アプリケーションサーバからのプレビュー動画であるプレビュー動画を電子デバイスによって受けるステップとをさらに含んでもよい。このようにして、電子デバイスは動画サーバに要求メッセージを送って動画アプリケーションに対応するプレビュー動画を取得し、動画アプリケーションに対応するプレビュー動画をユーザに対して表示することに備える。
【００３３】
本出願の第3の態様に係れば、電子デバイスが提供される。電子デバイスは、
第1の操作を受け付けるように構成される入力部と、入力部によって取得された第1の操作に応じて最も左側の画面を表示するように構成される表示部と、表示部によって表示されている最も左側の画面のアプリケーション提案ウインドウが第1の動画アプリケーションのアイコンを含む場合に、第1の動画アプリケーションがターゲットパーミッションを持つと判断し、ターゲットパーミッションは、動画アプリケーションがフォアグラウンドで表示されていないときに、動画アプリケーションに対応する動画プレビュー再生の許可である、ように構成される判断部と、第1の動画アプリケーションに対応する第1のプレビュー動画を取得するように構成される取得部とを含んでもよく、表示部は、最も左側の画面に第1の動画プレビューウインドウを加え、第1の動画プレビューウインドウで、取得部によって取得された第1のプレビュー動画を再生するようにさらに構成され、入力部は、第2の操作を受け付けるようにさらに構成され、表示部は、入力部によって受け付けた第2の操作に応じて、最も左側の画面内の第1の動画プレビューウインドウを閉じて、ホーム画面のページを表示し、ホーム画面のページであって、表示部によって表示されているページが第1の動画アプリケーションのアイコンと第2の動画アプリケーションのアイコンとを含む場合に、ホーム画面のページのブランクエリアに第1の動画プレビューウインドウを再表示し、第1のプレビュー動画を再生し続け、ブランクエリアは、ホーム画面のページが制御用要素を含まないエリアである、ようにさらに構成される。
【００３４】
可能な実現例では、判断部は、第2の動画アプリケーションがターゲットパーミッションを持たないと判断するようにさらに構成される。
【００３５】
別の可能な実現例では、判断部は、第2の動画アプリケーションがターゲットパーミッションを持つと判断し、第1の動画アプリケーションの使用頻度が第2の動画アプリケーションの使用頻度を超える、第1の動画アプリケーションの優先度が第2の動画アプリケーションの優先度を超える、又は第1の動画アプリケーションの最終使用時刻が第2の動画アプリケーションの最終使用時刻よりも後であると判断するようにさらに構成される。
【００３６】
別の可能な実現例では、取得部は、第2の動画アプリケーションに対応する第2のプレビュー動画を取得するようにさらに構成され、表示部は、第1の動画プレビューウインドウで、取得部によって取得された第2のプレビュー動画を再生する、又はホーム画面のページのブランクエリアに第2の動画プレビューウインドウを表示し、第2の動画プレビューウインドウで、取得部によって取得された第2のプレビュー動画を再生するようにさらに構成される。
【００３７】
別の可能な実現例では、最も左側の画面に加えられる第1の動画プレビューウインドウはアプリケーション提案ウインドウに隣接する。
【００３８】
本出願の第4の態様に係れば、電子デバイスが提供される。電子デバイスは、
第1の操作を受け付けるように構成される入力部と、入力部によって取得された第1の操作に応じて第1の画面を表示し、第1の画面はホーム画面又は最も左側の画面のページである、ように構成される表示部と、表示部によって表示されている第1の画面が第1の動画アプリケーションの識別子を含む場合に第1の動画アプリケーションに対応する第1のプレビュー動画を取得するように構成される取得部とを含んでもよく、表示部は、第1の画面に第1の動画プレビューウインドウを表示し、第1の動画プレビューウインドウで、取得部によって取得された第1のプレビュー動画を再生するようにさらに構成される。
【００３９】
可能な実現例では、取得部は、ユーザプロファイルを取得し、ユーザプロファイルは、ユーザが動画アプリケーションを使用する時間及び場所の少なくとも一方を含み、ユーザが動画アプリケーションを使用するために第1の画面を開くことをユーザプロファイルが示すと判断し、第1の画面が第1の動画アプリケーションの識別子を含む場合に第1のプレビュー動画を取得する、ように特に構成される。
【００４０】
別の可能な実現例では、第1の画面が最も左側の画面である場合、取得部は、最も左側の画面のアプリケーション提案ウインドウが第1の動画アプリケーションの識別子を含む場合に第1のプレビュー動画を取得するように特に構成される。
【００４１】
別の可能な実現例では、電子デバイスは、第1の画面が第2の動画アプリケーションの識別子をさらに含む場合に、第1の動画アプリケーションがターゲットパーミッションを持ち、かつ第2の動画アプリケーションがターゲットパーミッションを持たないと判断するように構成される判断部をさらに含む。ターゲットパーミッションは、動画アプリケーションがフォアグラウンドで表示されていないときに、動画アプリケーションに対応する動画プレビュー再生の許可である。
【００４２】
別の可能な実現例では、電子デバイスは、第1の画面が第2の動画アプリケーションの識別子をさらに含む場合に第1の動画アプリケーションと第2の動画アプリケーションとの両方がターゲットパーミッションを持つと判断し、第1の動画アプリケーションの使用頻度が第2の動画アプリケーションの使用頻度を超える、第1の動画アプリケーションの優先度が第2の動画アプリケーションの優先度を超える、又は第1の動画アプリケーションの最終使用時刻が第2の動画アプリケーションの最終使用時刻よりも後であると判断するように構成される判断部をさらに含み、ターゲットパーミッションは、動画アプリケーションがフォアグラウンドで表示されていないときに、動画アプリケーションに対応する動画プレビュー再生の許可である。
【００４３】
別の可能な実現例では、取得部は、第1の画面が第2の動画アプリケーションの識別子をさらに含む場合に、第2の動画アプリケーションに対応する第2のプレビュー動画を取得するようにさらに構成され、表示部は、第1の動画プレビューウインドウで、取得部によって取得された第2のプレビュー動画を再生する、又は第1の画面に第2の動画プレビューウインドウを表示し、第2の動画プレビューウインドウで、取得部によって取得された第2のプレビュー動画を再生するようにさらに構成される。
【００４４】
別の可能な実現例では、取得部は、最も左側の画面のアプリケーション提案ウインドウが第2の動画アプリケーションの識別子と第3の動画アプリケーションの識別子とをさらに含む場合に、第2の動画アプリケーションに対応する第2のプレビュー動画と第3の動画アプリケーションに対応する第3のプレビュー動画とを取得するようにさらに構成され、表示部は、最も左側の画面に第2の動画プレビューウインドウを加え、第2の動画プレビューウインドウで第2のプレビュー動画を再生するようにさらに構成され、入力部は、スライド操作を受け付けるようにさらに構成され、表示部は、入力部によって取得されたスライド操作に応じて、最も左側の画面に第3の動画プレビューウインドウを加え、第3の動画プレビューウインドウで第3のプレビュー動画を再生するようにさらに構成される。
【００４５】
別の可能な実現例では、識別子はアプリケーションのアイコン又はアプリケーションのwidgetであってもよい、又は第1の動画プレビューウインドウは、以下の制御用要素、すなわち、一時停止／再生ボタン、前ボタン、次ボタン、閉ボタン及び最大化ボタンの1つ以上を含む、又は第1の動画プレビューウインドウは第1の画面のブランクエリアに表示され、ブランクエリアは、第1の画面が制御用要素を含まないエリアである。
【００４６】
本出願の第5の態様に係れば、電子デバイスが提供される。電子デバイスは、1つ以上のプロセッサ、メモリ、タッチ画面及び1つ以上のコンピュータプログラムを含んでもよい。上記の構成要素は1つ以上の通信バスを用いて接続されてもよい。タッチ画面はタッチセンシティブ面及びディスプレイを含んでもよい。1つ以上のコンピュータプログラムはメモリに記憶されて、1つ以上のプロセッサによって実行されるように構成される。1つ以上のコンピュータプログラムは指示を含む。1つ以上のプロセッサが指示を実行するとき、タッチ画面は、第1の操作を受け付け、第1の操作に応じてプロセッサの指示にしたがって最も左側の画面を表示するように構成される。プロセッサは、最も左側の画面のアプリケーション提案ウインドウが第1の動画アプリケーションのアイコンを含む場合に、第1の動画アプリケーションがターゲットパーミッションを持つと判断し、ターゲットパーミッションは、動画アプリケーションがフォアグラウンドで表示されていないときに、動画アプリケーションに対応する動画プレビュー再生の許可であり、第1の動画アプリケーションに対応する第1のプレビュー動画を取得する、ように構成される。タッチ画面は、プロセッサの指示にしたがって第1の動画プレビューウインドウを加えて最も左側の画面に表示し、第1の動画プレビューウインドウで第1のプレビュー動画を再生するようにさらに構成される。タッチ画面は、第2の操作を受け付け、第2の操作に応じて、プロセッサの指示にしたがって最も左側の画面内の第1の動画プレビューウインドウを閉じ、ホーム画面のページを表示し、ホーム画面のページが第1の動画アプリケーションのアイコンと第2の動画アプリケーションのアイコンとを含む場合にプロセッサの指示にしたがってホーム画面のページのブランクエリアに第1の動画プレビューウインドウを再表示し、第1のプレビュー動画を再生し続け、ブランクエリアは、ホーム画面のページが制御用要素を含まないエリアである、ようにさらに構成される。
【００４７】
可能な実現例では、プロセッサは、第2の動画アプリケーションがターゲットパーミッションを持たないと判断するようにさらに構成される。
【００４８】
別の可能な実現例では、プロセッサは、第2の動画アプリケーションがターゲットパーミッションを持つと判断し、第1の動画アプリケーションの使用頻度が第2の動画アプリケーションの使用頻度を超える、第1の動画アプリケーションの優先度が第2の動画アプリケーションの優先度を超える、又は第1の動画アプリケーションの最終使用時刻が第2の動画アプリケーションの最終使用時刻よりも後であると判断するようにさらに構成される。
【００４９】
別の可能な実現例では、プロセッサは、第2の動画アプリケーションに対応する第2のプレビュー動画を取得するようにさらに構成され、タッチ画面は、プロセッサの指示にしたがって第1の動画プレビューウインドウで第2のプレビュー動画を再生する、又はプロセッサの指示にしたがってホーム画面のページのブランクエリアに第2の動画プレビューウインドウを表示し、第2の動画プレビューウインドウで第2のプレビュー動画を再生するようにさらに構成される。
【００５０】
別の可能な実現例では、最も左側の画面に加えられる第1の動画プレビューウインドウはアプリケーション提案ウインドウに隣接する。
【００５１】
本出願の第6の態様に係れば、電子デバイスが提供される。電子デバイスは、1つ以上のプロセッサ、メモリ、タッチ画面及び1つ以上のコンピュータプログラムを含んでもよい。上記の構成要素は1つ以上の通信バスを用いて接続されてもよい。タッチ画面はタッチセンシティブ面及びディスプレイを含んでもよい。1つ以上のコンピュータプログラムはメモリに記憶されて、1つ以上のプロセッサによって実行されるように構成される。1つ以上のコンピュータプログラムは指示を含む。1つ以上のプロセッサが指示を実行するとき、タッチ画面は、第1の操作を受け付け、第1の操作に応じてプロセッサの指示にしたがって第1の画面を表示するように構成され、第1の画面はホーム画面又は最も左側の画面のページである。プロセッサは、第1の画面が第1の動画アプリケーションの識別子を含む場合に第1の動画アプリケーションに対応する第1のプレビュー動画を取得するように構成される。タッチ画面は、プロセッサの指示にしたがって第1の画面に第1の動画プレビューウインドウを表示し、第1の動画プレビューウインドウで、取得された第1のプレビュー動画を再生するようにさらに構成される。
【００５２】
可能な実現例では、プロセッサは、ユーザプロファイルを取得し、ユーザプロファイルは、ユーザが動画アプリケーションを使用する時間及び場所の少なくとも一方を含み、ユーザが動画アプリケーションを使用するために第1の画面を開くことをユーザプロファイルが示すと判断し、第1の画面が第1の動画アプリケーションの識別子を含む場合に第1のプレビュー動画を取得する、ように特に構成される。
【００５３】
別の可能な実現例では、第1の画面が最も左側の画面である場合、プロセッサは、最も左側の画面のアプリケーション提案ウインドウが第1の動画アプリケーションの識別子を含む場合に第1のプレビュー動画を取得するように特に構成される。
【００５４】
別の可能な実現例では、プロセッサは、第1の画面が第2の動画アプリケーションの識別子をさらに含む場合に、第1の動画アプリケーションがターゲットパーミッションを持ち、かつ第2の動画アプリケーションがターゲットパーミッションを持たないと判断するようにさらに構成され、ターゲットパーミッションは、動画アプリケーションがフォアグラウンドで表示されていないときに、動画アプリケーションに対応する動画プレビュー再生の許可である。
【００５５】
別の可能な実現例では、プロセッサは、第1の画面が第2の動画アプリケーションの識別子をさらに含む場合に第1の動画アプリケーションと第2の動画アプリケーションとの両方がターゲットパーミッションを持つと判断し、第1の動画アプリケーションの使用頻度が第2の動画アプリケーションの使用頻度を超えるか、第1の動画アプリケーションの優先度が第2の動画アプリケーションの優先度を超えるか、又は第1の動画アプリケーションの最終使用時刻が第2の動画アプリケーションの最終使用時刻よりも後であると判断するようにさらに構成され、ターゲットパーミッションは、動画アプリケーションがフォアグラウンドで表示されていないときに、動画アプリケーションに対応する動画プレビュー再生の許可である。
【００５６】
別の可能な実現例では、プロセッサは、第1の画面が第2の動画アプリケーションの識別子をさらに含む場合に、第2の動画アプリケーションに対応する第2のプレビュー動画を取得するようにさらに構成され、タッチ画面は、プロセッサの指示にしたがって第1の動画プレビューウインドウで第2のプレビュー動画を再生する、又はプロセッサの指示にしたがって第1の画面に第2の動画プレビューウインドウを表示し、第2の動画プレビューウインドウで第2のプレビュー動画を再生するようにさらに構成される。
【００５７】
別の可能な実現例では、プロセッサは、最も左側の画面のアプリケーション提案ウインドウが第2の動画アプリケーションの識別子と第3の動画アプリケーションの識別子とをさらに含む場合に、第2の動画アプリケーションに対応する第2のプレビュー動画と第3の動画アプリケーションに対応する第3のプレビュー動画とを取得するようにさらに構成され、タッチ画面は、プロセッサの指示にしたがって最も左側の画面に第2の動画プレビューウインドウを加え、第2の動画プレビューウインドウで第2のプレビュー動画を再生するようにさらに構成される。タッチ画面は、スライド操作を受け付け、スライド操作に応じて、プロセッサの指示にしたがって最も左側の画面に第3の動画プレビューウインドウを加え、第3の動画プレビューウインドウで第3のプレビュー動画を再生するようにさらに構成される。
【００５８】
別の可能な実現例では、識別子はアプリケーションのアイコン又はアプリケーションのwidgetであってもよい、又は第1の動画プレビューウインドウは、以下の制御用要素、すなわち、一時停止／再生ボタン、前ボタン、次ボタン、閉ボタン及び最大化ボタンの1つ以上を含む、又は第1の動画プレビューウインドウは第1の画面のブランクエリアに表示され、ブランクエリアは、第1の画面が制御用要素を含まないエリアである。
【００５９】
本出願の第7の態様に係れば、コンピュータ指示を含むコンピュータ記憶媒体が提供される。コンピュータ指示が電子デバイス上で動作させられるとき、電子デバイスが第1の態様又は第1の態様の可能な実現例のいずれか1つに係る動画プレビュー方法を実行することが可能にされる。
【００６０】
本出願の第8の態様に係れば、コンピュータ指示を含むコンピュータ記憶媒体が提供される。コンピュータ指示が電子デバイス上で動作させられるとき、電子デバイスが第2の態様又は第2の態様の可能な実現例のいずれか1つに係る動画プレビュー方法を実行することが可能にされる。
【００６１】
本出願の第9の態様に係れば、コンピュータプログラムプロダクトが提供される。コンピュータプログラムプロダクトがコンピュータ上で動作させられるとき、コンピュータが第1の態様又は第1の態様の可能な実現例のいずれか1つに係る動画プレビュー方法を実行することが可能にされる。
【００６２】
本出願の第10の態様に係れば、コンピュータプログラムプロダクトが提供される。コンピュータプログラムプロダクトがコンピュータ上で動作させられるとき、コンピュータが第2の態様又は第2の態様の可能な実現例のいずれか1つに係る動画プレビュー方法を実行することが可能にされる。
【００６３】
本出願の第11の態様に係れば、動画プレビュー装置が提供される。装置は、上記の方法の実施の際の電子デバイスの挙動を実現する機能を持つ。この機能はハードウェアによって実施されてもよいし、対応するソフトウェアを実行するハードウェアによって実施されてもよい。ハードウェアやソフトウェアは、上記の機能に対応する1つ以上のモジュールを含む。
【００６４】
本出願中の技術的特徴、技術的解決手段、有利な効果や同様の語の記載は、すべての特徴及び効果がいずれか1つの実施形態に包含されることを意味するものではないと当然解される。さらに言えば、特徴や有利な効果の記載は、少なくとも1つの実施形態が特定の技術的特徴、技術的解決手段や有利な効果を含むことを意味すると解されると考えることができる。したがって、本明細書中の技術的特徴、技術的解決手段や有利な効果の記載が同じ実施形態に必ず当てはまるわけではない。さらに、実施形態に記載されている技術的特徴、技術的解決手段及び有利な効果が任意の適切な仕方で組み合わされてもよい。特定の実施形態の1つ以上の特定の技術的特徴、技術的解決手段や有利な効果を用いずに実施形態が実施されてもよいと当業者は解すると考えることができる。他の実施形態では、すべての実施形態を反映するものではない特定の実施形態でさらなる技術的特徴及び有利な効果がさらに特定されてもよい。
【図面の簡単な説明】
【００６５】
【図１】本出願の実施形態に係るシステムアーキテクチャの簡略化された概略図である。
【図２Ａ】本出願の実施形態に係るホーム画面のページのグラフィカルユーザインタフェースの概略図である。
【図２Ｂ】本出願の実施形態に係るホーム画面のページのグラフィカルユーザインタフェースの概略図である。
【図２Ｃ】本出願の実施形態に係る最も左側の画面のグラフィカルユーザインタフェースの概略図である。
【図３】本出願の実施形態に係る携帯電話器のハードウェア構成の概略図である。
【図４】本出願の実施形態に係る動画プレビュー方法の概略フローチャートである。
【図５Ａ（１）】本出願のいくつかの実施形態に係る電子デバイスに表示されるいくつかのグラフィカルユーザインタフェースの概略図である。
【図５Ａ（２）】本出願のいくつかの実施形態に係る電子デバイスに表示されるいくつかのグラフィカルユーザインタフェースの概略図である。
【図５Ａ（３）】本出願のいくつかの実施形態に係る電子デバイスに表示されるいくつかのグラフィカルユーザインタフェースの概略図である。
【図５Ｂ（１）】本出願のいくつかの実施形態に係る電子デバイスに表示されるいくつかのグラフィカルユーザインタフェースの概略図である。
【図５Ｂ（２）】本出願のいくつかの実施形態に係る電子デバイスに表示されるいくつかのグラフィカルユーザインタフェースの概略図である。
【図５Ｂ（３）】本出願のいくつかの実施形態に係る電子デバイスに表示されるいくつかのグラフィカルユーザインタフェースの概略図である。
【図５Ｃ（１）】本出願のいくつかの実施形態に係る電子デバイスに表示されるいくつかのグラフィカルユーザインタフェースの概略図である。
【図５Ｃ（２）】本出願のいくつかの実施形態に係る電子デバイスに表示されるいくつかのグラフィカルユーザインタフェースの概略図である。
【図５Ｃ（３）】本出願のいくつかの実施形態に係る電子デバイスに表示されるいくつかのグラフィカルユーザインタフェースの概略図である。
【図６（ａ）】本出願の他のいくつかの実施形態に係る電子デバイスに表示されるいくつかのグラフィカルユーザインタフェースの概略図である。
【図６（ｂ）】本出願の他のいくつかの実施形態に係る電子デバイスに表示されるいくつかのグラフィカルユーザインタフェースの概略図である。
【図６（ｃ）】本出願の他のいくつかの実施形態に係る電子デバイスに表示されるいくつかのグラフィカルユーザインタフェースの概略図である。
【図７（ａ）】本出願の他のいくつかの実施形態に係る電子デバイスに表示されるいくつかのグラフィカルユーザインタフェースの概略図である。
【図７（ｂ）】本出願の他のいくつかの実施形態に係る電子デバイスに表示されるいくつかのグラフィカルユーザインタフェースの概略図である。
【図８】本出願の他のいくつかの実施形態に係る電子デバイスに表示される他のいくつかのグラフィカルユーザインタフェースの概略図である。
【図９Ａ】本出願の他のいくつかの実施形態に係る電子デバイスに表示される他のいくつかのグラフィカルユーザインタフェースの概略図である。
【図９Ｂ】本出願の他のいくつかの実施形態に係る電子デバイスに表示される他のいくつかのグラフィカルユーザインタフェースの概略図である。
【図１０】本出願の別の実施形態に係る動画プレビュー方法の概略フローチャートである。
【図１１（ａ）】本出願の他のいくつかの実施形態に係る電子デバイスに表示される他のいくつかのグラフィカルユーザインタフェースの概略図である。
【図１１（ｂ）】本出願の他のいくつかの実施形態に係る電子デバイスに表示される他のいくつかのグラフィカルユーザインタフェースの概略図である。
【図１２】本出願の別の実施形態に係る動画プレビュー方法の概略フローチャートである。
【図１３（ａ）】本出願の他のいくつかの実施形態に係る電子デバイスに表示される他のいくつかのグラフィカルユーザインタフェースの概略図である。
【図１３（ｂ）】本出願の他のいくつかの実施形態に係る電子デバイスに表示される他のいくつかのグラフィカルユーザインタフェースの概略図である。
【図１４】本出願の別の実施形態に係る動画プレビュー方法の概略フローチャートである。
【図１５（ａ）】本出願の他のいくつかの実施形態に係る電子デバイスに表示される他のいくつかのグラフィカルユーザインタフェースの概略図である。
【図１５（ｂ）】本出願の他のいくつかの実施形態に係る電子デバイスに表示される他のいくつかのグラフィカルユーザインタフェースの概略図である。
【図１６】本出願の別の実施形態に係る動画プレビュー方法の概略フローチャートである。
【図１７】本出願の別の実施形態に係る電子デバイスの概略構成図である。
【図１８】本出願のさらに別の実施形態に係る電子デバイスの概略構成図である。
【図１９】本出願のさらに別の実施形態に係る電子デバイスの概略構成図である。
【発明を実施するための形態】
【００６６】
以下の用語「第1」及び「第2」は、説明するために用いられているのにすぎず、相対的な重要度を示したり暗示したり、示されている技術的特徴の数を黙示的に示すものとして理解されてはならない。したがって、「第1」又は「第2」によって限定される特徴は1つ以上の特徴を明示的又は黙示的に含んでもよい。本出願の実施形態の説明では、別段の記載がない限り、「複数の」は2又は2を超えることを意味する。
【００６７】
本出願の実施形態では、動画プレビュー方法を提供する。本方法は、動画アプリケーションがインストールされている電子デバイスに適用されてもよい。動画プレビュー方法は、ユーザが動画アプリケーションを開いていないときに動画アプリケーションの関連コンテンツのプレビューを実施することができることにより、ユーザ操作の煩雑さを低減し、電子デバイスの使用効率を改善し、電子デバイスとユーザとの効果的なやり取りを実施する。
【００６８】
図1は、本出願の実施形態に係るシステムアーキテクチャの簡略化された概略図である。図1に示されているように、システムアーキテクチャは電子デバイス101及び動画サーバ102を含んでもよい。
【００６９】
電子デバイス101の特定の構造が図3に示されており、以下の実施形態で具体的に説明されている。
【００７０】
動画サーバ102は、ビデオオンデマンドやライブブロードキャストなどのサービスを提供するコンテンツプロバイダのサーバであってもよい。
【００７１】
電子デバイス101及び動画サーバ102はモバイルインターネットを用いてデータを交換してもよい。たとえば、電子デバイス101がモバイルインターネットを用いて動画サーバ102に要求メッセージを送って、1つ以上の動画の動画コンテンツを要求してもよく、動画サーバ102はモバイルインターネットを用いて電子デバイス101に、対応する動画コンテンツなどを返す。
【００７２】
電子デバイス101にはNetflix、Youku、YouTube(登録商標)やHuawei Videoなどの動画アプリケーションがインストールされている。ユーザが電子デバイス101のデスクトップや最も左側の画面を開く場合において、動画アプリケーションの識別子、たとえば、動画アプリケーションのアイコンがデスクトップや最も左側の画面に表示されるとき、電子デバイス101はデスクトップや最も左側の画面にプレビュー動画を表示することができる。したがって、ユーザが見るのに便利であり、ユーザはプレビュー動画を見るのに動画アプリケーションのアイコンをタップして動画アプリケーションのホーム画面を開く必要がない。
【００７３】
最も左側の画面は、デスクトップ（又はホーム画面と称されるもの）やロック画面から右の方にスライドすることによりユーザによって入力されるインタフェースであってもよい。インタフェースは、ユーザによって頻繁に用いられるアプリケーション及び機能、加入済みサービスや情報などを表示することにより、ユーザが迅速にブラウジング及び使用できるようにする。「最も左側の画面」は本出願の実施形態で用いられている用語にすぎず、「最も左側の画面」によって示される意味は本出願の実施形態に収録されており、「最も左側の画面」という名称は本出願の実施形態に対する一切の限定を構成しないと解されると考えることができる。また、他のいくつかの実施形態では、「最も左側の画面」は、「デスクトップアシスタント」、「ショートカットメニュー」や「Widgetセットインタフェース」などの別の名称でも称されてもよい。
【００７４】
動画サーバ102は、動画アプリケーションに対応するプレビュー動画を決定して、動画アプリケーションに対応するプレビュー動画を電子デバイス101に提供するように主に構成されている。
【００７５】
本出願の本実施形態の動画アプリケーションは、動画ブラウジング、再生、ダウンロードなどの機能をユーザに提供することができるアプリケーションプログラムであってもよい。
【００７６】
以下、電子デバイス101と、電子デバイス101に用いられるグラフィカルユーザインタフェース（略称はGUI）と、電子デバイス101が用いられる実施形態とを説明する。本出願のいくつかの実施形態では、電子デバイス101は、パーソナルデジタルアシスタント機能及び／又は音楽プレーヤ機能などの他の機能をさらに含むポータブル電子デバイス、たとえば、無線通信機能を持つ携帯電話器、タブレットやウェアラブルデバイス（たとえばスマートウォッチ）であってもよい。ポータブル電子デバイスの実施形態の一例は、iOS（登録商標）、Android（登録商標）、Microsoft（登録商標）や別のオペレーティングシステムを用いるポータブル電子デバイスを含むが、これらに限定されない。あるいは、ポータブル電子デバイスは、タッチセンシティブ面（たとえばタッチパネル）を有するラップトップコンピュータ（Laptop）などの別のポータブル電子デバイスであってもよい。本出願の他のいくつかの実施形態では、あるいは、電子デバイス101は、ポータブル電子デバイスではなく、タッチセンシティブ面（たとえばタッチパネル）を有するデスクトップコンピュータであってもよいことがさらに分かる。
【００７７】
本出願の本実施形態の電子デバイス101には1つ以上の動画アプリケーションがインストールされてもよく、電子デバイス101のタッチ画面に表示されるデスクトップに、電子デバイス101にインストールされている動画アプリケーションのアイコンが表示される。さらに、本出願の本実施形態の電子デバイス101には電卓、ブラウザ、Eメールクライアントや天気アプリケーションなどの1つ以上の他のアプリケーションがさらにインストールされてもよく、これらのアプリケーションのアイコンが電子デバイス101のタッチ画面に表示されるデスクトップに表示されてもよい。本出願の本実施形態のアプリケーション（たとえば動画アプリケーション）は組込みアプリケーション（すなわち、電子デバイス101のシステムアプリケーション）であってもよいし、ダウンロード可能なアプリケーションであってもよい。組込みアプリケーションは、電子デバイス101の実現例の一部として提供されるアプリケーションプログラムである。ダウンロード可能なアプリケーションは、ダウンロード可能なアプリケーションのインターネットプロトコルマルチメディアサブシステム（Internet Protocol Multimedia Subsystem，IMS）接続を提供することができるアプリケーションプログラムである。ダウンロード可能なアプリケーションは、予め電子デバイス101にインストールされているアプリケーションであってもよいし、ユーザによってダウンロードされて電子デバイス101にインストールされるサードパーティアプリケーションであってもよい。
【００７８】
電子デバイス101のタッチ画面に表示されるデスクトップはホーム画面（home screen）とも称される場合があり、1つ以上のページ（page）を含んでもよい。制御用要素（control element）を表示するのに1つ以上のページが用いられてもよい。たとえば、1つ以上のページは電子デバイス101にインストールされているアプリケーションのアイコン、たとえば、動画アプリケーションのアイコンやブラウザのアイコンを表示する。別の例では、1つ以上のページはwidgetやフォルダのアイコンを表示する。さらに、アプリケーションのアイコンとページとの対応を電子デバイス101が記憶し、この対応に基づいて、アプリケーションのアイコンが具体的に表示されるページを電子デバイス101が決定してもよい。
【００７９】
たとえば、図2A及び図2Bは、電子デバイス101のタッチ画面に表示されているグラフィカルユーザインタフェース（graphical user interface，GUI）群を示す。GUIは電子デバイス101のホーム画面である。電子デバイス101のタッチ画面の寸法は通常固定されており、電子デバイス101のタッチ画面には限られた数量の制御用要素のみが表示されることが可能である。制御用要素はGUI要素であり、ソフトウェアコンポネントであり、アプリケーションプログラムに含まれ、アプリケーションプログラムによって処理されるすべてのデータとデータのやり取り操作とを制御する。ユーザは直接操作（direct manipulation）を通じて制御用要素とやり取りしてアプリケーションプログラムに関する情報を読んだり編集することができる。通常、制御用要素は、アイコン、ボタン、メニュー、タブ、テキストボックス、ダイアログボックス、ステータスバー、ナビゲーションバーやWidgetなどの視覚的インタフェース要素を含んでもよい。
【００８０】
電子デバイス101のホーム画面が複数のページに分割されてもよい。たとえば、図2Aにおいて表示されているGUIはホーム画面の第1のページ（the first page）と称される場合があり、図2Bにおいて表示されているGUIはホーム画面の第2のページ（the second page）と称される場合がある。各ページが異なる制御用要素を含んでもよい。図2Aを例として用いて、GUIは電子デバイス101のホーム画面における第1のページであってもよい。電子デバイス101のタッチ画面に第1のページが表示され、具体的には第1のページは、ステータスバー201、隠すことが可能なナビゲーションバー202、ホーム画面インジケータ203及び様々なアイコンを含む。たとえば、電子デバイス101には、WeChat（登録商標）、ブラウザ、電卓、Netflix（登録商標）、Eメールや天気などのアプリケーションがインストールされ、第1のページは2行3列のアイコン群、すなわち、WeChat（登録商標）のアイコン、ブラウザのアイコン、ミニブログのアイコン、電卓のアイコン、Taobao（登録商標）のアイコン及びストアのアイコンの6つのアイコンを含む。ユーザの指（又はスタイラスなど）がタッチ画面上の位置にタッチすると、電子デバイス101はタッチイベントに応じて、アイコンに対応するアプリケーションのグラフィカルユーザインタフェースを開いてもよい。ホーム画面インジケータ203は、ユーザを現在表示されている特定のページへ促すのに用いられる。他のいくつかの実施形態ではホーム画面がDockバーをさらに含んでもよいと解されると考えることができる。Dockバーは、一般的に用いられるアプリケーションのアイコンなどを含んでもよい。
【００８１】
さらに、電子デバイス101のタッチ画面に表示される最も左側の画面も、制御用要素を表示する、たとえば、電子デバイス101にインストールされているアプリケーションのアイコンを表示するように構成されてもよい。通常、最も左側の画面は、ユーザによって通常用いられるアプリケーションのアイコンを表示してもよい。最も左側の画面は、ホーム画面から右の方にスライドすることによってユーザによって入力されるインタフェースであってもよいし、ロック画面から右の方にスライドすることによってユーザによって入力されるインタフェースであってもよい。
【００８２】
図2Cは、電子デバイス101のタッチ画面に表示されるGUI例を示す。このGUIは電子デバイス101の最も左側の画面であり、ユーザによって通常用いられるアプリケーションのアイコンと加入済みサービス及び加入情報とを表示するように構成されてもよい。たとえば、ユーザによって通常用いられるアプリケーションはNetflix及びWeChatを含む。図2Cに示されているGUIが電子デバイス101の最も左側の画面と称される場合がある。最も左側の画面が電子デバイス101のタッチ画面に表示され、具体的には最も左側の画面は、ステータスバー201、隠すことが可能なナビゲーションバー202及び様々なWidget、たとえば、WeChatのアイコン及びNetflixのアイコンを含むアプリケーション提案Widget、ユーザによって登録された天気リマインダを含むWidget並びにスケジュールリマインダを含むWidgetを含む。
【００８３】
他のいくつかの実施形態では、図2Aから図2Cに示されているように、電子デバイス101はホームボタン204をさらに含んでもよい。ホームボタン204は物理的なキーや仮想的なキーであってもよい。ホームボタン204は、ユーザの指示を受け付けて、現在表示されているGUIをホーム画面に戻すことによってホーム画面における特定のページを表示するように構成されている。これは、ユーザが時を問わずホーム画面を見るのに便利である。指示は、具体的には、ホームボタン204を1回ユーザが押下する操作指示であってもよいし、ホームボタン204を短時間に2回ユーザが連続押下する操作指示であってもよいし、ホームボタン204をユーザが既定の時間以下押下し続ける操作指示であってもよい。本出願の他のいくつかの実施形態では、ホームボタン204はさらに指紋リーダと一体化されてもよく、これにより、ホームボタン204をユーザが押下すると、続けて指紋リーダは指紋収集及び指紋認証を実行する。
【００８４】
図3を参照して、本出願の本実施形態では、本出願の本実施形態において提供されている電子デバイス101は、電子デバイス101が携帯電話器である例を用いて説明されている。図3に示されている携帯電話器は例にすぎず、携帯電話器に対する一切の限定を構成しないと当業者は解すると考えることができる。また、携帯電話器は図に示されている構成要素よりも構成要素を多くまたは少なく含んでもよいし、2つ以上の構成要素が組み合わされてもよいし、異なる構成要素配置が用いられてもよい。図3に示されている構成要素が、1つ以上の信号処理集積回路及び／又は特定用途向け集積回路を含むハードウェアで実施されてもよいし、ソフトウェアで実施されてもよいし、ハードウェアとソフトウェアとの組合せで実施されてもよい。
【００８５】
図3に示されているように、携帯電話器は、具体的には、プロセッサ301、高周波（Radio Frequency，RF）回路302、メモリ303、タッチ画面304、Bluetooth装置305、1つ以上のセンサ306、ワイヤレスフィディリティ（Wireless Fidelity，WI−FI）装置307、測位装置308、オーディオ回路309、周辺インタフェース310、および電源システム311などの構成要素を含んでもよい。構成要素は1つ以上の通信バスや信号線（図3に示されていない）を用いて通信を実行してもよい。
【００８６】
以下、図3を参照して携帯電話器の構成要素を具体的に説明する。
【００８７】
プロセッサ301は携帯電話器の制御の中心部であり、様々なインタフェース及び回線を用いて携帯電話器の様々な部分に接続されている。メモリ303に記憶されているアプリケーションプログラム（Application，APP）を動作させる、すなわち実行して、メモリ303に記憶されているデータ及び指示を呼び出すことによって、プロセッサ301は携帯電話器の様々な機能及びデータ処理を実行する。いくつかの実施形態では、プロセッサ301は1つ以上の処理ユニットを含んでもよい。さらに、プロセッサ301はアプリケーションプロセッサ及びモデムプロセッサと一体化されてもよい。アプリケーションプロセッサは、オペレーティングシステム、ユーザインタフェース、アプリケーションプログラムなどを主に処理する。モデムプロセッサは主に無線通信を処理する。あるいは、上記のモデムプロセッサはプロセッサ301に組み込まれなくてもよいと解されると考えることができる。たとえば、プロセッサ301はファーウェイテクノロジーズ社製のKirin 960チップであってもよい。
【００８８】
高周波回路302は、情報の受信及び送信や通話中に無線信号を受信及び送信するように構成されてもよい。特に、高周波回路302は基地局のダウンリンクデータを受信した後、処理のためにダウンリンクデータをプロセッサ301に送ってもよい。さらに、高周波回路302は基地局にアップリンク関連データを送信する。通常、高周波回路302は、アンテナ、少なくとも1つのアンプ、トランシーバ、カプラ、ローノイズアンプ、デュプレクサなどを含むが、これらに限定されない。さらに、高周波回路302は無線通信を通じて別のデバイスとさらに通信してもよい。無線通信では、汎欧州デジタル移動電話方式、汎用パケット無線サービス、符号分割多元接続、広帯域符号分割多元接続、ロングタームエボリューション、Eメール、ショートメッセージサービスなどを含む（ただし、これらに限定されない）任意の通信標準やプロトコルを用いてもよい。
【００８９】
メモリ303は、アプリケーションプログラム及びデータを記憶するように構成されている。プロセッサ301は、メモリ303に記憶されているアプリケーションプログラム及びデータを動作させて、携帯電話器の様々な機能及びデータ処理を実行する。メモリ303はプログラム記憶エリア及びデータ記憶エリアを主に含む。プログラム記憶エリアは、オペレーティングシステム、少なくとも1つの機能（音声再生機能や画像再生機能など）に必要なアプリケーションプログラムを記憶してもよい。データ記憶エリアは、携帯電話器の使用に基づいて生成されるデータ（オーディオデータやアドレス帳など）を記憶してもよい。また、メモリ303は高速ランダムアクセスメモリを含んでもよく、磁気ディスク記憶デバイス、フラッシュメモリデバイスなどの不揮発メモリ、別の揮発ソリッド記憶デバイスなどをさらに含んでもよい。メモリ303は、様々なオペレーティングシステム、たとえば、アップル社によって開発されたiOS（登録商標）オペレーティングシステムや、グーグル社によって開発されたANDROID（登録商標）オペレーティングシステムを記憶することができる。
【００９０】
タッチ画面304はタッチセンシティブ面304−1及びディスプレイ304−2を含んでもよい。タッチセンシティブ面304−1（たとえばタッチパネル）は、携帯電話器上やその近傍での携帯電話器のユーザのタッチイベント（たとえば、指やスタイラスなどのなんらかの適当な物を用いたタッチセンシティブ面304−1上やその近傍でのユーザの操作）を収集して、収集したタッチ情報をプロセッサ301などの別のデバイスに送ってもよい。タッチセンシティブ面304−1の近傍でのユーザのタッチイベントはフローティングタッチと称される場合がある。フローティングタッチということは、ユーザが対象（アイコンなど）を選択したり移動させたりドラッグするのにタッチパネルに直接タッチすることを必要とせず、ユーザが必要な機能を実行するのに電子デバイスの近傍に位置するだけでよいことを意味する。フローティングタッチの適用場面では、「タッチ」や「接触」などの用語は、タッチ画面に直接タッチすることを暗示的に意味するのではなく、タッチ画面の近傍にある、または近接を意味する。静電容量タッチセンシティブ面、赤外感知タッチセンシティブ面、超音波タッチセンシティブ面などを用いて、フローティングタッチを実行することができるタッチセンシティブ面304−1が実現されてもよい。タッチセンシティブ面304−1は2つの部分、すなわちタッチ検出装置とタッチコントローラとを含んでもよい。タッチ検出装置はユーザのタッチ位置を検出し、タッチ操作によって発生する信号を検出し、信号をタッチコントローラに渡す。タッチコントローラはタッチ検出装置からタッチ情報を受け、タッチ情報をタッチ箇所座標に変換し、タッチ箇所座標をプロセッサ301に送る。タッチコントローラは、プロセッサ301によって送られる指示をさらに受けて実行してもよい。また、タッチセンシティブ面304−1は、抵抗型、静電容量型、赤外型や弾性表面波型などの様々な型式を用いて実施されてもよい。ディスプレイ（表示画面とも称される）304−2は、ユーザによって入力された情報や、ユーザに提供される情報を表示し、携帯電話器の様々なメニューを表示するように構成されてもよい。ディスプレイ304−2は、液晶ディスプレイ、有機発光ダイオードなどを用いて構成されてもよい。タッチセンシティブ面304−1はディスプレイ304−2をカバーしてもよい。タッチセンシティブ面304−1上やその近傍でタッチイベントを検出した後、タッチセンシティブ面304−1は、タッチイベントのタイプを決定するためにタッチイベントをプロセッサ301に渡す。その後、プロセッサ301はタッチイベントのタイプに基づいて対応する視覚的出力をディスプレイ304−2に提供してもよい。図3では、携帯電話器の入力及び出力機能を実施するのにタッチセンシティブ面304−1及びディスプレイ304−2が2つの別体の構成要素として用いられているが、いくつかの実施形態では、タッチセンシティブ面304−1とディスプレイ304−2とが一体化されて、携帯電話器の入力及び出力機能を実施してもよい。タッチ画面304が複数の材料層を積層することによって形成されると解されると考えることができる。本出願の本実施形態では、タッチセンシティブ面（層）及びディスプレイ（層）のみが示されており、別の層は本出願の本実施形態には収録されていない。さらに、本出��の他のいくつかの実施形態では、タッチセンシティブ面304−1がディスプレイ304−2をカバーしてもよく、タッチセンシティブ面304−1がディスプレイ304−2全体をカバーするようタッチセンシティブ面304−1の寸法はディスプレイ304−2の寸法より大きくなっている。あるいは、タッチセンシティブ面304−1がフルパネルの形態で携帯電話器の前面に構成されてもよい。具体的には、携帯電話器の前面に対するユーザのタッチが携帯電話器によって感知されてもよい。このようにして、携帯電話器の前面の全面タッチ感覚が実施されてもよい。他のいくつかの実施形態では、タッチセンシティブ面304−1がフルパネルの形態で携帯電話器の前面に構成され、ディスプレイ304−2もフルパネルの形態で携帯電話器の前面に構成されてもよい。このようにして、携帯電話器の前面に縁無し構造が実施されてもよい。
【００９１】
携帯電話器はBluetooth装置305をさらに含んでもよい。Bluetooth装置305は、携帯電話器と別の近距離電子デバイス（たとえば、携帯電話器やスマートウォッチ）との間でのデータ交換を実施するように構成されている。本出願の実施形態では、Bluetooth装置は、集積回路、Bluetoothチップなどであってもよい。
【００９２】
携帯電話器は、光学センサ、運動センサや別のセンサなどの少なくとも1つのセンサ306をさらに含んでもよい。特に、光学センサは環境光センサ及び近接センサを含んでもよい。環境光センサは環境光の明るさに基づいてタッチ画面304のディスプレイの輝度を調節してもよい。近接センサは、携帯電話器が耳の方に移動させられるときにディスプレイの電力供給をオフにしてもよい。運動センサの一種として、加速度センサが様々な方向（通常3軸）の加速度の大きさを検出してもよく、静止時の重力の大きさ及び方向を検出してもよく、携帯電話器の姿勢を認識するアプリケーション（たとえば、横向きと縦向きとの切り替え、関連のゲーム及び磁力計姿勢較正）や、振動認識に関する機能（歩数計やノックなど）などに適用されてもよい。携帯電話器においてさらに構成され得るジャイロスコープ、気圧計、湿度計、温度計や赤外センサなどの他のセンサについては、詳細はここでは説明されない。
【００９３】
本出願の実施形態では、携帯電話器は指紋認証機能をさらに有してもよい。たとえば、携帯電話器の裏面（たとえば後向きカメラの下）に指紋リーダが構成され、携帯電話器の前面（たとえばタッチ画面304の下）に指紋リーダが構成される。さらに、指紋認証機能は、タッチ画面304に指紋リーダを構成することによっても実施されてもよい。具体的には、タッチ画面304に指紋リーダが一体化されて携帯電話器の指紋認証機能を実施してもよい。この場合、指紋リーダがタッチ画面304中に構成されてもよく、指紋リーダがタッチ画面304の一部であってもよく、あるいは、指紋リーダがタッチ画面304に別の仕方で構成されてもよい。また、指紋リーダはさらにフルパネル指紋リーダとして実施されてもよい。したがって、タッチ画面304は、指紋収集を任意の位置で実行することができるパネルとみなされる。指紋リーダは収集された指紋をプロセッサ301に送ってもよく、これにより、プロセッサ301は指紋に対して処理（たとえば指紋確認）を実行する。本出願の本実施形態では、指紋リーダの主構成要素は指紋センサである。指紋センサについては、光学感知技術、静電容量感知技術、圧電感知技術、超音波感知技術などを含む（ただし、これらに限定されない）任意のタイプの感知技術を用いてもよい。
【００９４】
また、本出願の本実施形態における指紋センサをタッチ画面に組み込む特定の技術的解決手段については、名称が「電子デバイスの指紋センサ」であり、米国特許商標庁によって公開されている特許出願第US 2015／0036065 A1号を参照し、装置の全制御が参照によって本出願の実施形態に組み込まれる。
【００９５】
WI−FI装置307は、WI−FI関連の標準プロトコルに準拠するネットワーク接続を携帯電話器に提供するように構成されている。携帯電話器はWI−FI装置307を用いてWI−FIアクセスポイントにアクセスして、ユーザがEメールを送受信し、ウェブページをブラウジングし、ストリーミングメディアにアクセスすることなどを支援してもよい。WI−FI装置307は無線ブロードバンドインターネット接続をユーザに提供する。他のいくつかの実施形態では、WI−FI装置307がWI−FI無線アクセスポイントとしても用いられてもよく、WI−FIネットワーク接続を別の電子デバイスに提供してもよい。
【００９６】
測位装置308は、地理的位置を携帯電話器に提供するように構成されている。測位装置308は具体的には全地球測位システム（Global Positioning System，GPS）や北斗衛星測位システムなどの測位システムの受信器であってもよいと解されると考えることができる。測位システムによって送信された地理的位置を受信した後、測位装置308は処理のために情報をプロセッサ301に送ったり、記憶のためにメモリ303に情報を送ったりする。他のいくつかの実施形態では、測位装置308は支援型全地球測位システム（Assisted Global Positioning System，AGPS）の受信器であってもよい。AGPSは、GPS測位が支援及び協働をともなって実行される運用手法である。AGPSは、GPS衛星の信号と協働する基地局の信号を用いて携帯電話器の測位速度を加速することができる。AGPSシステムでは、測位装置308は支援型測位サーバ（たとえば、携帯電話器の測位サーバ）と通信することによって測位支援を得てもよい。AGPSシステムは支援型サーバとして用いられ、測位装置308が測距及び測位サービスを実行するのを支援する。この場合、支援型測位サーバは無線通信ネットワークを用いて電子デバイス、たとえば、携帯電話器の測位装置308（すなわちGPS受信器）と通信して測位支援を提供する。
【００９７】
オーディオ回路309、スピーカ312及びマイク313はユーザと携帯電話器とのオーディオインタフェースを提供することができる。オーディオ回路309は受けたオーディオデータを電気信号に変換して電気信号をスピーカ312に送ることができる。スピーカ312は出力のために電気信号を音声信号に変換する。また、マイク313は収集した音声信号を電気信号に変換する。オーディオ回路309は電気信号を受け、電気信号をオーディオデータに変換し、オーディオデータをたとえば別の携帯電話器に送信するためにオーディオデータをRF回路302に出力し、さらなる処理のためにオーディオデータをメモリ303に出力する。
【００９８】
周辺インタフェース310は、様々なインタフェースを外部入力／出力デバイス（たとえば、キーボード、マウス、外部ディスプレイ、外部メモリや加入者識別モジュールカード）に提供するように構成されている。たとえば、周辺インタフェース310は、ユニバーサルシリアルバスインタフェースを用いてマウスに接続され、加入者識別モジュール（SIM）カードのカードスロットの金属接点を用いることによって、電気通信事業者によって提供される加入者識別モジュール（Subscriber Identity Module，SIM）カードに接続される。周辺インタフェース310は、外部入力／出力周辺デバイスをプロセッサ301及びメモリ303に接続するように構成されてもよい。
【００９９】
携帯電話器は、構成要素に電力を供給する電力供給装置311（バッテリや電力管理チップなど）をさらに含んでもよい。電力管理チップを用いてプロセッサ301にバッテリが論理的に接続されることにより、電力供給装置311を用いて充電、放電及び電力消費管理などの機能を実施してもよい。
【０１００】
図3には示されていないが、携帯電話器は、カメラ（前向きカメラ及び／又は後向きカメラ）、フラッシュ、ミニサイズプロジェクタ、近距離無線通信（Near Field Communication，NFC）装置などをさらに含んでもよい。詳細はここでは説明されない。上記のハードウェアを有する電子デバイス（たとえば携帯電話器）で以下の実施形態が実施されてもよい。
【０１０１】
以下、添付の図面を参照して本出願の実施形態において提供されている動画プレビュー方法を具体的に説明する。
【０１０２】
図4は本出願の実施形態に係る動画プレビュー方法の概略フローチャートである。図4に示されているように、この方法はS401〜S405を含んでもよい。
【０１０３】
S401．電子デバイスが第1の操作を受け付ける。
【０１０４】
たとえば、第1の操作は、具体的には、電子デバイスに対してユーザによって行なわれるロック解除操作、電子デバイスのホーム画面に対してユーザによって行なわれるスライド操作、ホーム画面に戻るためにアプリケーションのインタフェースに対してユーザによって行なわれるトリガ操作、ホームボタンに対してユーザによって行なわれるトリガ操作、ナビゲーションバーに含まれるホーム（Home）キーに対してユーザによって行なわれるトリガ操作などであってもよい。あるいは、第1の操作は、電子デバイスに対してユーザによって行なわれる操作の代わりに、特定の条件が満たされるときに電子デバイスによって自動的に実行される操作であってもよい。
【０１０５】
S402．第1の操作に応じて電子デバイスのタッチ画面に第1の画面を表示する（第1の画面はホーム画面又は最も左側の画面のページである）。
【０１０６】
S403．第1の画面が動画アプリケーションの識別子を含む場合に、電子デバイスが動画アプリケーションに対応する第1のプレビュー動画を取得する。
【０１０７】
本出願のいくつかの実施形態では、動画アプリケーションの識別子はアイコンやwidgetであってもよい。説明を容易にするために、本出願の本実施形態では、動画アプリケーションの識別子がアイコンである例が説明に用いられている。
【０１０８】
S404．電子デバイスが第1の画面に動画プレビューウインドウを表示して、動画プレビューウインドウで第1のプレビュー動画を再生する。
【０１０９】
第1の操作に応じて第1の画面をタッチ画面に表示した後、第1の画面が動画アプリケーションの識別子を含むか否かを電子デバイスが判断してもよい。第1の画面が動画アプリケーションの識別子を含むと判断する場合、電子デバイスが動画アプリケーションに対応する第1のプレビュー動画を取得してもよい。たとえば、電子デバイスが第1のプレビュー動画として予め記憶された動画プレビュー集合からプレビュー動画を選択し、さらに動画サーバに要求メッセージを送ることで、動画サーバが要求メッセージに応じて電子デバイスにプレビュー動画を戻してもよい。第1のプレビュー動画を取得した後、電子デバイスはユーザが見る第1の画面に第1のプレビュー動画を表示してもよい。たとえば、電子デバイスが動画プレビューウインドウを生成して第1の画面に表示し、動画プレビューウインドウで第1のプレビュー動画を再生してもよい。このようにして、ユーザが動画アプリケーションの識別子を含む第1の画面を開いた後、電子デバイスは第1の画面でプレビュー動画を再生することができ、ユーザが動画アプリケーションを開く必要がない。このようにして、ユーザは動画アプリケーションに注目して動画アプリケーションを使用することが可能であり、ユーザとの電子デバイスのインテリジェントなやり取り能力も改善される。
【０１１０】
本出願の他のいくつかの実施形態では、第1のプレビュー動画は、動画アプリケーションに対応するプレビュー動画集合中の1つのプレビュー動画であってもよい。
【０１１１】
本出願の他のいくつかの実施形態では、1つ以上の動画アプリケーションに対応するプレビュー動画集合を電子デバイスが記憶してもよい。プレビュー動画集合は1つ以上のプレビュー動画を含んでもよい。プレビュー動画は、動画サーバによってユーザに対して推奨された動画の関連コンテンツのプレビューであってもよいし、ユーザによって登録された動画の関連コンテンツのプレビュー、たとえば、動画の予告編であってもよい。プレビュー動画のフォーマットは、グラフィックスインターチェンジフォーマット（Graphics Interchange Format，GIF）、MOVフォーマット、MP4フォーマットなどであってもよい。これは本出願の本実施形態では特に限定されない。
【０１１２】
たとえば、図5から図7（a）及び図7（b）は電子デバイスのタッチ画面に表示される一連のGUI例を示す。これらのGUIは、異なる場面で電子デバイスのタッチ画面に表示される第1の画面でプレビュー動画を再生するためのインタフェースの例である。図5A（1）から図5A（3）に示されているGUIは、再生されるプレビュー動画として動画プレビュー集合中のいずれかのプレビュー動画が選択される場合における、ホーム画面のページであって、電子デバイスのタッチ画面に表示されているページでプレビュー動画を再生するためのインタフェースの例である。図5B（1）から図5B（3）に示されているGUIは、再生されるプレビュー動画として動画プレビュー集合中のプレビュー動画がルールに基づいて選択される場合における、電子デバイスのタッチ画面に表示されている最も左側の画面でプレビュー動画を再生するためのインタフェースの例である。図5C（1）から図5C（3）に示されているGUIは、インタフェースが複数の動画アプリケーションのアイコンを含む場合における、電子デバイスのタッチ画面に表示されている最も左側の画面で、複数の動画アプリケーションに対応するプレビュー動画を再生するためのインタフェースの例である。図6（a）から図6（c）に示されているGUIは、インタフェースが複数の動画アプリケーションのアイコンを含む場合における、ホーム画面のページであって、電子デバイスのタッチ画面に表示されているページでプレビュー動画を再生するためのインタフェースの例である。図7（a）及び図7（b）に示されているGUIは、動画アプリケーションのアイコンがフォルダに含まれている場合における、電子デバイスのタッチ画面に表示されているインタフェースでプレビュー動画を再生するためのインタフェースの例である。以下、図5から図7（a）及び図7（b）の例を具体的に説明する。
【０１１３】
本出願の他のいくつかの実施形態では、電子デバイスに動画アプリケーションA（たとえばNetflix）及び動画アプリケーションB（たとえばYouku）がインストールされている。Netflix及びYoukuに対応し、かつ電子デバイスに記憶されているプレビュー動画集合は、表1に示されているものであってもよい。
【０１１４】
【表１】
2021517319.tif 000003
【０１１５】
Netflixに対応するプレビュー動画集合が、ペッパピッグの第4シーズンの第1話の予告編、クリスマス・キャロルの第11話の予告編、男たちの挽歌の予告編、及び猿の惑星：創世記の予告編を含むことが表1から分かる。Youkuに対応するプレビュー動画集合は、中国好声音の第1期の予告編、マイティ・ソー  バトルロイヤルの予告編、及びブラックリストの第3シーズンの第5話の予告編を含む。プレビュー動画集合は、ユーザによって用いられた対応する動画アプリケーションの視聴履歴の動画の関連コンテンツのプレビューであってもよいし、動画サーバによってユーザに対して推奨された動画の関連コンテンツのプレビューであってもよい。このようにして、ユーザが番組をフォローしたり、現在人気のある映画やテレビ番組を知るのに便利である。
【０１１６】
特定の実施の際、第1のプレビュー動画として、プレビュー動画集合内にあり、かつ動画アプリケーションに対応するいずれかのプレビュー動画を電子デバイスが選択してもよい。
【０１１７】
たとえば、図2Bに関連する図5A（1）から図5A（3）に示されているように、第1の操作が電子デバイスに対してユーザによって行なわれるロック解除操作であり、第1の画面が電子デバイスのホーム画面のページである例が詳細な説明のために用いられている。図5A（1）に示されているように、ユーザは電子デバイスのロック解除インタフェース501にロック解除パスワードを入力する。ユーザによって入力されたロック解除パスワードが正しい場合、電子デバイスは図5A（2）に示されている第1の画面502を表示する。第1の画面502はホーム画面の第2のページであってもよく、第2のページはNetflixのアイコン503を含む。この場合、電子デバイスは、タッチ画面に現在表示されている第2のページ中のNetflixのアイコン503について判断する。図5A（3）に示されているように、電子デバイスは、上記の判断動作に応じて第2のページに動画プレビューウインドウ800を表示する。動画プレビューウインドウ800は図8に具体的に示されており、以下の実施形態で詳述されている。動画プレビューウインドウ800はNetflixに対応し、Netflixのダイナミックwidgetとみなすことができる。ダイナミックwidgetは特定の状況にだけタッチ画面に表示される。たとえば、ユーザがタッチ画面のブランクエリアを強く押すとダイナミックwidgetがタッチ画面に表示されたり、特定の期間（たとえば、19：00〜23：30）表示されたり、あるいは、特定の動作が行なわれた後にダイナミックwidgetがタッチ画面に表示されなくてもよい。本出願の他のいくつかの実施形態では、電子デバイスはNetflixなどの動画アプリケーションと動画プレビューウインドウとの関係をタッチ画面に表示してもよく、たとえば、グラジエントアニメーションの手法で、動画プレビューウインドウがNetflixに対応することをユーザに促してもよい。このようにして、動画プレビューウインドウに表示されるプレビュー動画由来の動画アプリケーションをユーザが容易に知ることができ、ユーザエクスペリエンスをさらに改善する。
【０１１８】
本出願のいくつかの実施形態では、第1のプレビュー動画として、プレビュー動画集合内にあり、かつNetflixに対応するいずれかのプレビュー動画を電子デバイスが選択してもよい。表1に示されているように、電子デバイスによって選択される第1のプレビュー動画は、クリスマス・キャロルの第11話の予告編であってもよい。また、図5A（3）に示されているように、電子デバイスは動画プレビューウインドウ800で予告編を再生してもよい。
【０１１９】
本出願の他のいくつかの実施形態では、あるいは、電子デバイスは動画プレビュー集合から第1のプレビュー動画を定められたルールにしたがって選択してもよい。たとえば、プレビュー動画集合中のプレビュー動画であって、動画アプリケーションに対応するプレビュー動画が異なる優先度を持つ場合、電子デバイスは第1のプレビュー動画として、プレビュー動画集合中で最も優先度が高く、動画アプリケーションに対応するプレビュー動画を選択してもよい。
【０１２０】
たとえば、図2A及び図2Cに関連する図5B（1）から図5B（3）に示されているように、第1の操作が電子デバイスのタッチ画面に表示されているホーム画面に対してユーザによって行なわれるスライド操作であり、第1の画面が電子デバイスの最も左側の画面である例が特定の説明のために用いられている。図5B（1）に示されているように、ユーザは、電子デバイスのタッチ画面に表示されているホーム画面の第1のページ上で右の方にスライドを行なう。ユーザのスライド操作に応じて、電子デバイスは図5B（2）に示されている第1の画面504を表示する。第1の画面504は最も左側の画面であってもよく、最も左側の画面はNetflixのアイコン505を含む。タッチ画面に現在表示されている最も左側の画面中のNetflixのアイコン505について電子デバイスが判断する場合、図5B（3）に示されているように、電子デバイスは上記の判断動作に応じて最も左側の画面に動画プレビューウインドウ800を加える。動画プレビューウインドウ800は図8に具体的に示されており、以下の実施形態で具体的に説明されている。動画プレビューウインドウ800はNetflixに対応し、Netflixのダイナミックwidgetとみなすことができる。他のいくつかの実施形態では、電子デバイスは最も左側の画面のアプリケーション提案WidgetがNetflixのアイコン505を含むと判断する場合にだけ、判断動作に応じて最も左側の画面に動画プレビューウインドウ800を表示する。
【０１２１】
動画プレビューウインドウ800は、Netflixのアイコン505を含むWidgetの近くの位置、たとえば、アプリケーション提案Widgetの位置に表示されてもよい。たとえば、図5B（3）に示されているように、動画プレビューウインドウ800は、Netflixのアイコン505を含むアプリケーション提案Widgetに隣接する箇所に表示される。これは、ユーザが視聴するのに便利である。最も左側の画面中の元からあるWidget、たとえば、ユーザによって登録された天気リマインダを含むWidgetとスケジュールリマインダを含むWidgetとが、元の表示順序で動画プレビューウインドウ800の下に表示されてもよい。他のいくつかの実施形態では、動画プレビューウインドウ800が閉じられた後、最も左側の画面の元からあるWidgetが元の表示箇所に表示されてもよい。たとえば、動画プレビューウインドウ800が閉じられた後、最も左側の画面の元からあるWidgetが図5B（2）に示されている表示様式に戻ってもよい。表1を参照して、たとえば、プレビュー動画集合中のプレビュー動画であって、Netflixに対応するプレビュー動画の優先度は以下の通りである。ペッパピッグの第4シーズンの第1話の予告編の優先度は、クリスマス・キャロルの第11話の予告編の優先度よりも高く、クリスマス・キャロルの第11話の予告編の優先度は、男たちの挽歌の予告編の優先度よりも高く、男たちの挽歌の予告編の優先度は、猿の惑星：創世記の予告編の優先度よりも高い。電子デバイスは、第1のプレビュー動画として、プレビュー動画集合中で最も優先度が高く、Netflixに対応するプレビュー動画を選択してもよい。具体的には、第1のプレビュー動画はペッパピッグの第4シーズンの第1話の予告編である。さらに、図5B（3）に示されているように、電子デバイスが動画プレビューウインドウ800にこの予告編を表示してもよい。プレビュー動画を分類することによって、プレビュー動画集合内にあり、かつ動画アプリケーションに対応するプレビュー動画の優先度が決定されてもよい。
【０１２２】
本出願の他のいくつかの実施形態では、第1の画面が1つの動画アプリケーションの識別子を含むと判断する場合、電子デバイスは動画アプリケーションに対応する第1のプレビュー動画の取得さえすればよい。本出願の他のいくつかの実施形態では、第1の画面が複数（2つ以上）の動画アプリケーションの識別子を含むと判断する場合、電子デバイスは各動画アプリケーションに対応するプレビュー動画を取得してもよい。さらに、電子デバイスは各動画アプリケーションに対応する取得されたプレビュー動画を同じ動画プレビューウインドウで再生してもよい。他のいくつかの実施形態では、あるいは、電子デバイスが動画アプリケーション毎に動画プレビューウインドウを生成して、動画アプリケーションに対応するプレビュー動画を再生してもよい。たとえば、Netflixに対応する第1の動画プレビューウインドウが第1の画面に表示され、Youkuに対応する第2の動画プレビューウインドウも第1の画面に表示される。2つの動画アプリケーションに対応するプレビュー動画を2つのウインドウでそれぞれ電子デバイスが再生する。本出願の他のいくつかの実施形態では、第1の画面が複数（2つ以上）の動画アプリケーションの識別子を含むと判断する場合、複数の動画アプリケーションのうち、ターゲットパーミッションを持つ第1の動画アプリケーションを電子デバイスが決定してもよい。ターゲットパーミッションは、動画アプリケーションがフォアグラウンドで表示されていないときに、動画アプリケーションに対応する動画プレビュー再生の許可であってもよく、この場合、ターゲットパーミッションを持つ複数の動画アプリケーションの1つ以上から、設定されたルールにしたがって、動画アプリケーションの1つに対応する第1のプレビュー動画が取得される。いくつかの実施形態では、動画アプリケーションは、ターゲットパーミッションを持つ上記の動画アプリケーション中で最も優先度が高い動画アプリケーションであってもよい。他のいくつかの実施形態では、動画アプリケーションは、ターゲットパーミッションを持つ上記の動画アプリケーション中で最も頻繁に用いられた動画アプリケーションであってもよい。他のいくつかの実施形態では、あるいは、動画アプリケーションは、ターゲットパーミッションを持つ上記の動画アプリケーション中で、最終使用時刻が現時点に最も近い動画アプリケーションであってもよい。
【０１２３】
たとえば、本出願の他のいくつかの実施形態では、Androidシステムのパーミッションとして、フォアグラウンドで表示されていない動画アプリケーションによって動画プレビューを再生する機能を電子デバイスが設定してもよく、動画アプリケーションはフォアグラウンドで表示されていない動画アプリケーションによって動画プレビューを再生する機能を実施するように許可を求めてもよい。
【０１２４】
たとえば、図5C（1）から図5C（3）に示されているように、第1の画面が3つの動画アプリケーションの識別子を含み、電子デバイスが3つの動画アプリケーションに対応するプレビュー動画を再生する例が用いられている。図2A及び図2Cに関して、電子デバイスにNetflix、Youku及びHuawei Videoがインストールされている。第1の操作が、電子デバイスのタッチ画面に表示されているホーム画面に対してユーザによって行なわれるスライド操作であり、第1の画面が電子デバイスの最も左側の画面である例が詳細な説明のために用いられている。ユーザは、電子デバイスのタッチ画面に表示されているホーム画面の第1のページ上で右の方にスライドを行なう。電子デバイスは、ユーザのスライド操作に応じて図5C（1）に示されている第1の画面506を表示する。第1の画面506は最も左側の画面であってもよく、最も左側の画面のアプリケーション提案ウインドウがNetflixのアイコン507、Youkuのアイコン508及びHuawei Videoのアイコン509を含む。タッチ画面に現在表示されている最も左側の画面のアプリケーション提案ウインドウ内のNetflixのアイコン507、Youkuのアイコン508及びHuawei Videoのアイコン509について判断する場合、電子デバイスは上記の判断動作に応じて、3つの動画アプリケーションに対応する動画プレビューウインドウを最も左側の画面に表示してもよい。しかし、タッチ画面の寸法は一定であり、限られた数の制御用要素しか表示することができないので、図5C（2）に示されているように、電子デバイスは最も左側の画面に動画プレビューウインドウ800−1と動画プレビューウインドウ800−2とを最初に加えてもよい。動画プレビューウインドウ800−1及び動画プレビューウインドウ800−2は具体的には図8に示されている動画プレビューウインドウ800であり、以下の実施形態で具体的に説明されている。動画プレビューウインドウ800−1はNetflixに対応し、Netflixのダイナミックwidgetとみなすことができる。動画プレビューウインドウ800−2はYoukuに対応し、Youkuのダイナミックwidgetとみなすことができる。電子デバイスは動画プレビューウインドウ800−1でNetflixに対応する取得されたプレビュー動画1を再生し、動画プレビューウインドウ800−2でYoukuに対応する取得されたプレビュー動画2を再生する。この場合、ユーザは最も左側の画面に対して上方へのスライド操作を行なってもよい。図5C（3）に示されているように、ユーザのスライド操作に応じて最も左側の画面に動画プレビューウインドウ800−3を電子デバイスが加え、動画プレビューウインドウ800−3は具体的には図8に示されている動画プレビューウインドウ800であり、以下の実施形態で具体的に説明されている。動画プレビューウインドウ800−3はHuawei Videoに対応し、Huawei Videoのダイナミックwidgetとみなすことができる。電子デバイスは動画プレビューウインドウ800−3でHuawei Videoに対応する取得されたプレビュー動画3を再生する。
【０１２５】
たとえば、図6（a）から図6（c）に示されているように、ターゲットパーミッションを持つ動画アプリケーションから最も優先度が高い動画アプリケーションが選択される例が用いられている。たとえば、電子デバイスにNetflix及びYoukuがインストールされているとする。図2Bを参照して、第1の操作が、ホームボタン204に対してユーザによって行なわれるトリガ操作であり、第1の画面が電子デバイスのホーム画面のページであり、このページがNetflixのアイコン601及びYoukuのアイコン602を含む例が詳細な説明のために用いられている。図6（a）に示されているように、電子デバイスのタッチ画面に現在表示されているインタフェースはWeChatのホーム画面603である。ホーム画面に戻りたい場合は、ユーザはホームボタン204を押下する。ユーザの押下操作に応じて、電子デバイスは図6（b）に示されている第1の画面604を表示する。第1の画面604はホーム画面の第2のページであってもよく、第2のページはNetflixのアイコン601及びYoukuのアイコン602を含む。電子デバイスは、タッチ画面に現在表示されている第2のページ中のNetflixのアイコン601及びYoukuのアイコン602について判断する。Netflix及びYouku及びそれがターゲットパーミッションを持つか否かを最初に電子デバイスが判断してもよい。たとえば、NetflixとYoukuとの両方がターゲットパーミッションを持つ場合、電子デバイスはNetflixの優先度がより高いかYoukuの優先度がより高いかをさらに判断して、優先度がより高い動画アプリケーションに対応する第1のプレビュー動画を取得してもよい。たとえば、Youkuの優先度がNetflixの優先度よりも高い場合、Youkuに対応する第1のプレビュー動画を電子デバイスが取得して、図6（c）に示されているように、電子デバイスは上記の判断動作に応じて第2のページで動画プレビューウインドウ800を表示する。動画プレビューウインドウ800は図8に具体的に示されており、以下の実施形態で具体的に説明されている。動画プレビューウインドウ800はYoukuに対応し、この場合、Youkuのダイナミックwidgetとみなすことができる。図6（c）に示されているように、Youkuに対応する取得された第1のプレビュー動画が動画プレビューウインドウ800で再生される。
【０１２６】
本出願の他のいくつかの実施形態では、動画アプリケーションのアイコンであって、第1の画面に含まれるアイコンがフォルダに含まれている場合、第1の画面をタッチ画面に表示するとき、電子デバイスが動画アプリケーションに対応する第1のプレビュー動画を取得して第1のプレビュー動画を表示してもよい。あるいは、動画アプリケーションのアイコンを含むフォルダが展開されるとき、電子デバイスが動画アプリケーションに対応する第1のプレビュー動画を取得して表示してもよい。
【０１２７】
たとえば、図7（a）及び図7（b）に示されているように、第1の操作が電子デバイスに対してユーザによって行なわれるロック解除操作であり、第1の画面が電子デバイスのホーム画面のページである例が詳細な説明のために用いられている。ユーザは電子デバイスのロック解除インタフェースにロック解除パスワードを入力する。また、ユーザによって入力されたロック解除パスワードが正しい場合、電子デバイスは図7（a）に示されている第1の画面701を表示する。第1の画面701はホーム画面のページであってもよく、ページはフォルダ702を含み、フォルダ702はNetflixのアイコン703を含む。この場合、電子デバイスはタッチ画面に現在表示されているページのフォルダ702中のNetflixのアイコン703について判断する。図7（a）及び図7（b）のうちの（b）に示されているように、上記の判断動作に応じて、電子デバイスが第1の画面701に動画プレビューウインドウ800を表示する。動画プレビューウインドウ800は図8に具体的に示されており、以下の実施形態で具体的に説明されている。動画プレビューウインドウ800はNetflixに対応し、Netflixのダイナミックwidgetとみなすことができる。また、図7（b）に示されているように、電子デバイスは動画プレビューウインドウ800で、Netflixに対応する取得された第1のプレビュー動画を再生してもよい。また、電子デバイスは、あるいはタッチ画面に現在表示されているページのフォルダ702のNetflixのアイコン703について判断するときに動画プレビューウインドウ800を表示しなくてもよく、ただし、Netflixのアイコン703が位置するフォルダ702をユーザが開く、言い換えると、フォルダ702が展開されたと判断する場合に動画プレビューウインドウ800を表示する。
【０１２８】
本出願の他のいくつかの実施形態では、電子デバイスが動画アプリケーションに対応する第1のプレビュー動画を取得し、第1のプレビュー動画を第1の画面に表示することは、具体的には次の通りであってもよい。すなわち、電子デバイスのホーム画面（又は最も左側の画面）が第1のインタフェースを呼び出して動画アプリケーションにプレビュー動画を要求してもよい。たとえば、第1のインタフェースの定義はetpreviewvideo（width，height，type，videoid，serial number）であってもよく、ここで、widthは表示箇所の幅を示し、heightは表示箇所の高さを示し、typeは要求されたプレビュー動画、たとえば、推奨動画のプレビューやユーザによって登録された動画のプレビューのタイプを示し、videoidはプレビュー動画の識別子を示し、serial numberはvideoidによって特定されるプレビュー動画の前のプレビュー動画又は次のプレビュー動画が要求されることを示す。また、電子デバイスが初めてプレビュー動画を要求するとき、2つのパラメータ、すなわち第1のインタフェースのvideoid及びserial numberは空であってもよい。要求を受けた後、動画アプリケーションが、動画アプリケーションに対応する記憶されたプレビュー動画集合から第1のプレビュー動画をスクリーニングする。第1のプレビュー動画の選別後、動画アプリケーションが第1のプレビュー動画を電子デバイスのホーム画面（又は最も左側の画面）に渡す。第1のプレビュー動画を受けた後、ホーム画面（又は最も左側の画面）がAndroidのビュー（view）機構を用いて動画プレビューウインドウを生成して動画プレビューウインドウで第1のプレビュー動画を再生してもよい。
【０１２９】
本出願の他のいくつかの実施形態では、第1の画面をタッチ画面に表示した後、電子デバイスがユーザプロファイル（User Profile）をさらに取得して、異なる時間、異なる場所や、異なる場面でユーザが第1の画面を開く使用意図、たとえば、動画アプリケーションを使用するか否かについて判断してもよい。ユーザの使用意図が動画アプリケーションを使用することである場合において、第1の画面が動画アプリケーションの識別子を含むとき、電子デバイスは動画アプリケーションに対応する第1のプレビュー動画を取得し、動画プレビューウインドウを第1の画面に表示して第1のプレビュー動画を再生する。
【０１３０】
ユーザプロファイルは、ユーザの1つ以上のタグ、たとえば、ユーザが動画アプリケーションを使用する時間、場所などの少なくとも1つを通常含んでもよい。ユーザプロファイルはユーザに関する情報の全容を反映してもよい。電子デバイスは、ユーザプロファイルを用いて現在起こり得るユーザの行動やユーザの好みを予測してもよい。
【０１３１】
たとえば、ユーザのユーザプロファイルは、ユーザが19：00から23：30まで動画アプリケーションを使用することを示すとする。この場合、第1の画面をタッチ画面に表示した後、ユーザプロファイルを電子デバイスが取得し、ユーザプロファイルに基づいて、ユーザが19：00〜23：30のいずれかの時間に第1の画面を開くときの使用意図が、動画アプリケーションを使用することであると判断してもよい。具体的には、ユーザが19：00〜23：30のいずれかの時間に第1の画面を開く場合において、第1の画面が動画アプリケーションの識別子を含むとき、電子デバイスは動画アプリケーションに対応する第1のプレビュー動画を取得して第1のプレビュー動画を第1の画面に表示する。ユーザが19：00〜23：30を過ぎた時間に第1の画面を開く場合、第1の画面が動画アプリケーションの識別子を含んでいたとしても、電子デバイスは通常の表示を実行する。具体的には、電子デバイスは動画アプリケーションに対応する第1のプレビュー動画の取得や、第1の画面で第1のプレビュー動画の表示をしない。
【０１３２】
さらに、第1のプレビュー動画を第1の画面に表示する場合、電子デバイスは再生されているプレビュー動画を必要に応じてユーザが切り替えたり再生したり一時停止したり停止させたり最大化するように、操作ボタンをさらに表示してもよい。
【０１３３】
いくつかの実施形態では、第1のプレビュー動画を再生するプロセスでは、第1のプレビュー動画の再生が完了した後に、再生されている第1のプレビュー動画を切り替えたり再生したり一時停止したり停止させたり最大化するなどの操作を電子デバイスが受け付けない場合、電子デバイスは第1のプレビュー動画の次のプレビュー動画を自動的に再生したり、プレビュー動画を再生するように構成されている動画プレビューウインドウを自動的に閉じてもよい。あるいは、第1の画面が別の動画アプリケーションの識別子を含む場合、電子デバイスはさらに別の動画アプリケーションに対応するプレビュー動画を自動的に再生してもよい。
【０１３４】
他のいくつかの実施形態では、第1のプレビュー動画を再生するプロセスでは、通知メッセージを受ける場合、電子デバイスが通知メッセージを表示して、プレビュー動画を再生するように構成されている動画プレビューウインドウを自動的に閉じてもよいし、通知メッセージを表示している間、電子デバイスが第1のプレビュー動画を続けて再生してもよい。他のいくつかの実施形態では、通知メッセージが再生プレビュー動画に関連するか否かや、プレビュー動画を再生するように構成されている動画プレビューウインドウがスティックであるか否かに基づいて、電子デバイスはプレビュー動画を続けて再生するか、プレビュー動画を再生するように構成されている動画プレビューウインドウを閉じるかをさらに選択してもよい。たとえば、第1のプレビュー動画を再生するプロセスでは、電子デバイスは通知メッセージを受ける。プレビュー動画を再生するように構成されている動画プレビューウインドウがスティックである場合、電子デバイスは受けた通知メッセージを表示している間、第1のプレビュー動画を続けて再生してもよい。プレビュー動画を再生するように構成されているプレビューウインドウ動画がスティックでない場合、電子デバイスは受けた通知メッセージを表示して、プレビュー動画を再生するように構成されている動画プレビューウインドウを閉じてもよい。
【０１３５】
たとえば、図8に示されているように、電子デバイスによって生成される動画プレビューウインドウ800はプレビュー動画再生エリア801及び操作エリア802を含んでもよい。プレビュー動画再生エリア801は、プレビュー動画を再生するように構成されている。操作エリア802は、以下のボタン、すなわち、プレビュー動画再生エリア801に表示されているプレビュー動画を一時停止／再生するように構成されている「一時停止／再生」ボタン802−1、現在のプレビュー動画の前のプレビュー動画に切り替えるように構成されている「前」ボタン802−2、現在のプレビュー動画の次のプレビュー動画に切り替えるように構成されている「次」ボタン802−3、動画プレビューウインドウ800を閉じるように構成されている「閉」ボタン802−4、及びプレビュー動画再生エリア801に表示されているプレビュー動画を最大化するように構成されている「最大化」ボタン802−5の少なくとも1つを含んでもよい。他のいくつかの実施形態では、動画プレビューウインドウ800は動画アプリケーションに対応し、動画アプリケーションのダイナミックwidgetとみなすことができる。ダイナミックwidgetは動的効果をもたらすことができ、特定の場合にだけタッチ画面に表示されてもよく、特定の動作が実行された後にタッチ画面に表示されなくてもよい。
【０１３６】
本出願の他のいくつかの実施形態では、動画プレビューウインドウ800が第1の画面の任意の位置に表示されてもよい点に留意するべきである。第1の画面の動画プレビューウインドウ800の表示箇所は本出願の本実施形態では特に限定されない。たとえば、図5A（1）から図5A（3）を参照して、図9Aに示されているように、動画プレビューウインドウ800が第1の画面のブランクエリア901に表示されてもよい。ブランクエリア901は、第1の画面が一切の制御用要素を含まないエリアであってもよい。このようにして、第1の画面に表示されている別の制御用要素の障害になることがなく、ユーザが別の制御用要素を操作するのに便利である。あるいは、たとえば、図6（a）から図6（c）を参照して、図9Bに示されているように、動画プレビューウインドウ800が第1の画面の右下角のエリア902に表示されてもよい。これは動画プレビューを切り替えたり再生したり一時停止するなどの操作をユーザが動画プレビューウインドウ800に対して行なうのに便利である。
【０１３７】
本出願の他のいくつかの実施形態では、第1の画面に表示されているプレビュー動画をユーザが視聴するプロセスで第2の操作が実行されてもよい。第2の操作は第1の画面でのスライド操作や、ホームボタンに対する押下操作であってもよい。電子デバイスは第2の操作を受け付け、第2の操作に応じて動画プレビューウインドウを閉じ、電子デバイスのタッチ画面に第2の画面を表示する。たとえば、最も左側の画面に表示されているプレビュー動画をユーザが視聴中である。この場合、最も左側の画面でユーザが左の方にスライド操作を行なう。左の方へのスライド操作に応じて、電子デバイスは最も左側の画面に表示されている動画プレビューウインドウを閉じ、電子デバイスのタッチ画面にホーム画面の第1のページを表示する。電子デバイスのホーム画面の第1のページが動画アプリケーションの識別子を含む場合、電子デバイスはホーム画面の第1のページに動画プレビューウインドウをさらに表示して、ホーム画面の第1のページに含まれる動画アプリケーションに対応するプレビュー動画を動画プレビューウインドウで再生してもよい。他のいくつかの実施形態では、ホーム画面の第1のページが複数（2つ以上）の動画アプリケーションのアイコンを含む場合において、複数の動画アプリケーションのアイコンのうちの、あるアイコンと最も左側の画面に含まれるアイコンとが同じ動画アプリケーションに属するとき、電子デバイスは最も左側の画面にあるアイコンと同じアイコンの動画アプリケーションのプレビュー動画を第1のページの動画プレビューウインドウで再生してもよい。他のいくつかの実施形態では、複数の動画アプリケーションがターゲットパーミッションを持つか否かに基づいてかつ／又は定められたルールにしたがって、電子デバイスが再生する動画アプリケーションのプレビュー動画をさらに選択してもよい。他のいくつかの実施形態では、複数の動画アプリケーションに対応するプレビュー動画を電子デバイスが別様に再生してもよい。複数の動画アプリケーションに対応するプレビュー動画が同じ動画プレビューウインドウで再生されてもよいし、異なる動画プレビューウインドウで再生されてもよい。電子デバイスのタッチ画面にホーム画面の第1のページが表示されているときに、電子デバイスが第1の画面に戻るきっかけとなる第3の操作をユーザがさらに行なってもよい。この場合、電子デバイスによって再表示される第1の画面は動画プレビューウインドウを含んでもよい。電子デバイスによって再表示された第1の画面に含まれる動画プレビューウインドウは、以前再生されたプレビュー動画を続けて再生するように構成されてもよいし、以前再生されたプレビュー動画を再度再生するように構成されてもよい。
【０１３８】
本出願の他のいくつかの実施形態では、図10に示されているように、動画プレビュー方法は以下のステップ、すなわちS405及びS406をさらに含んでもよい。
【０１３９】
S405．電子デバイスが第1の切り替え操作を受け付ける。
【０１４０】
たとえば、図8を参照して、第1の切り替え操作は、現在のプレビュー動画の前のプレビュー動画に切り替えるように構成される「前回」ボタン802−2に対してユーザによって行なわれる操作であってもよいし、現在のプレビュー動画の次のプレビュー動画に切り替えるように構成される「次」ボタン802−3に対してユーザによって行なわれる操作であってもよい。
【０１４１】
S406．第1の切り替え操作に応じて、電子デバイスが動画アプリケーションに対応する別のプレビュー動画を取得し、タッチ画面に表示されている動画プレビューウインドウで別のプレビュー動画を再生する。
【０１４２】
第1の切り替え操作を受け付けた後、第1の切り替え操作に応じて、電子デバイスが動画アプリケーションに対応する別のプレビュー動画を取得し、取得された別のプレビュー動画を、第1の画面に表示されている動画プレビューウインドウで再生してもよい。具体的には、第1のプレビュー動画と別のプレビュー動画とが同じダイナミックwidgetで再生される。たとえば、表1を参照して、電子デバイスが第1の切り替え操作に基づいて第1のプレビュー動画の前のプレビュー動画や次のプレビュー動画を取得し、取得されたプレビュー動画を生成された動画プレビューウインドウで再生してもよい。本出願の他のいくつかの実施形態では、あるいは、第2のプレビュー動画が、電子デバイスにインストールされた別の動画アプリケーションのプレビュー動画であってもよい。
【０１４３】
本出願の他のいくつかの実施形態では、電子デバイスが第2のプレビュー動画を取得するときに呼び出されるインタフェースが第1のインタフェースであってもよく、2つのパラメータ、すなわちvideoid及びserial numberが第1のプレビュー動画の前のプレビュー動画や次のプレビュー動画を要求するように設定される。
【０１４４】
たとえば、図11（a）及び図11（b）に示されているように、ユーザが現在のプレビュー動画の次のプレビュー動画を視聴しようとする例が詳細な説明のために用いられている。図5A（1）から図5A（3）及び図8に関して、図11（a）に示されているように、電子デバイスは第1の画面502の動画プレビューウインドウのプレビュー動画再生エリア1101でクリスマス・キャロルの第11話の予告編を再生する。ユーザは動画プレビューウインドウの操作エリア1102内の「次」ボタン1102−1をタップしてもよい。Netflixに対応するプレビュー動画集合から、「次」ボタン1102−1に対してユーザによって行なわれるタップ操作に応じてクリスマス・キャロルの第11話の予告編の次のプレビュー動画を電子デバイスが取得してもよい。表1を参照して、電子デバイスによって取得されるプレビュー動画は男たちの挽歌の予告編である。男たちの挽歌の予告編を取得した後、図11（b）に示されているように、電子デバイスは第1の画面502の動画プレビューウインドウのプレビュー動画再生エリア1101で男たちの挽歌の予告編を再生してもよい。他のいくつかの実施形態では、あるいは、電子デバイスは、「次」ボタン1102−1に対してユーザによって行なわれるタップ操作に応じて、Youkuに対応するプレビュー動画集合から次のプレビュー動画を取得してもよい。たとえば、電子デバイスによって取得される次のプレビュー動画は中国好声音の第1期の予告編である。
【０１４５】
ユーザが現在再生されているプレビュー動画の前のプレビュー動画に切り替えようとする場合、ユーザが現在のプレビュー動画の前のプレビュー動画に切り替えるのに用いられる「前」ボタンに対してトリガ操作を行なってもよく、これにより、現在のプレビュー動画の前のプレビュー動画を電子デバイスが再生する点に留意するべきである。特定の実現例は図11（a）及び図11（b）に示されている例の特定の実現例と同様であり、本出願の本実施形態では詳細は重ねてここで説明されない。
【０１４６】
本出願の他のいくつかの実施形態では、図12に示されているように、動画プレビュー方法は以下のステップ、すなわちS407及びS408をさらに含んでもよい。
【０１４７】
S407．電子デバイスが第2の切り替え操作を受け付ける。
【０１４８】
たとえば、図8を参照して、第2の切り替え操作は、動画プレビューウインドウを閉じるのに用いられる「閉」ボタン802−4に対してユーザによって行なわれる操作であってもよいし、第2の切り替え操作は、第1の画面中の動画プレビューウインドウの表示箇所以外の箇所に対してユーザによって行なわれるタッチ操作であってもよい。
【０１４９】
S408．電子デバイスが第2の切り替え操作に応じて動画プレビューウインドウを閉じる。
【０１５０】
たとえば、第2の切り替え操作を受け付けた後、電子デバイスが第2の切り替え操作に応じて動画プレビューウインドウを閉じてもよい。たとえば、図5A（1）から図5A（3）及び図8に関して、図13（a）に示されているように、電子デバイスは第1の画面502の動画プレビューウインドウのプレビュー動画再生エリア1301でクリスマス・キャロルの第11話の予告編を再生する。ユーザは動画プレビューウインドウの操作エリア1302内の「閉」ボタン1302−1をタップしてもよい。図13（b）に示されているように、「閉」ボタン1302−1に対してユーザによって行なわれるタップ操作に応じて電子デバイスは動画プレビューウインドウを閉じる。
【０１５１】
本出願の他のいくつかの実施形態では、図14に示されているように、動画プレビュー方法は以下のステップ、すなわちS409及びS410をさらに含んでもよい。
【０１５２】
S409．電子デバイスが第3の切り替え操作を受け付ける。
【０１５３】
たとえば、図8を参照して、第3の切り替え操作は、プレビュー動画再生エリア801に表示されているプレビュー動画を最大化するのに用いられる「最大化」ボタン802−5に対してユーザによって行なわれる操作であってもよい。
【０１５４】
S410．第3の切り替え操作に応じて、電子デバイスが動画アプリケーションを開き、動画アプリケーションで第1のプレビュー動画を続けて表示する。
【０１５５】
第3の切り替え操作を受けた後、第3の切り替え操作に応じて電子デバイスが動画アプリケーションを開き、動画アプリケーションで第1のプレビュー動画を続けて表示してもよい。
【０１５６】
たとえば、図5及び図8に関して、図15（a）に示されているように、第1の画面502の動画プレビューウインドウ内のプレビュー動画再生エリア1501でクリスマス・キャロルの第11話の予告編を電子デバイスが再生する。ユーザは動画プレビューウインドウ内の操作エリア1502内の「最大化」ボタン1502−1をタップしてもよい。図15（b）に示されているように、「最大化」ボタン1502−1に対してユーザによって行なわれるタップ操作に応じて、電子デバイスが動画アプリケーションを開き、動画アプリケーションでクリスマス・キャロルの第11話の予告編を続けて再生する。また、クリスマス・キャロルの第11話の予告編に対応する動画の関連コンテンツ1503、たとえば、動画のイントロダクション、話数や、動画の各話にジャンプするためのオプションボタンを電子デバイスがさらに表示して、ユーザがブラウジングし続けるのを容易にしてもよい。
【０１５７】
本出願の他のいくつかの実施形態では、プレビュー動画が動画サーバから電子デバイスによって取得される。いくつかの実施形態では、電子デバイスが予め動画サーバから、電子デバイスに含まれる各動画アプリケーションに対応するプレビュー動画集合を取得してプレビュー動画集合をキャッシングしてもよいし、S403を実行することによって、第1の画面が動画アプリケーションの識別子を含むと判断する場合に、電子デバイスが動画サーバから、動画アプリケーションに対応するプレビュー動画集合を取得してプレビュー動画集合をキャッシングしてもよい。これは本出願の本実施形態では特に限定されない。
【０１５８】
図16に示されているように、電子デバイスが動画サーバから、動画アプリケーションに対応するプレビュー動画集合を取得する特定のプロセスはS1601〜S1603を含んでもよい。
【０１５９】
S1601．電子デバイスが動画サーバに要求メッセージを送る（要求メッセージは、動画アプリケーションに対応するプレビュー動画を動画サーバに要求するのに用いられる）。
【０１６０】
いくつかの実施形態では、電子デバイスによって要求メッセージを送るのに用いられるネットワークプロトコルは、ハイパーテキスト転送プロトコル（Hyper Text Transfer Protocol，HTTP）、ハイパーテキスト転送プロトコルセキュア（Hypertext Transfer Protocol Secure，HTTPS）、ファイル転送プロトコル（File Transfer Protocol，FTP）及びセキュアファイル転送プロトコル（Secure File Transfer Protocol，SFTP）などの様々なネットワークプロトコルであってもよい。これは本出願の本実施形態では限定されない。
【０１６１】
要求メッセージはJasonフォーマットで表現されてもよい。一例では、要求メッセージは表2に示されているフィールド情報を含んでもよい。
【０１６２】
【表２Ａ】
2021517319.tif 000004
【表２Ｂ】
2021517319.tif 000005
【０１６３】
表2において、Integerは整数を示し、Stringは文字列を示す。Oは任意であること（Optional）を示し、Mは必須であること（Mandatory）を示す。表2に示されているように、要求メッセージは、タイプ（type）、パッケージ名（pkgname）、imei及びAndroid識別子（androidid）の1つを含む。要求メッセージは、幅（width）、高さ（height）、デバイスタイプ（devicetype）、バージョン（version）、製造者（maker）、モデル（model）、言語（language）及びmacの少なくとも1つをさらに含んでもよい。
【０１６４】
S1602．受けた要求メッセージに基づいて、動画アプリケーションに対応するプレビュー動画集合を動画サーバが決定する。
【０１６５】
要求メッセージを受けた後、動画サーバは要求メッセージに基づいて要求メッセージと配信されるプレビュー動画とに対してマッチングを実行して、動画アプリケーションに対応するプレビュー動画集合を決定してもよい。配信されるプレビュー動画は、ユーザによって登録された動画のプレビュー及び／又は推奨動画のプレビューであってもよい。たとえば、要求メッセージが動画アプリケーションA、たとえば、Netflixのpkgnameを搬送する場合、動画サーバはNetflixに対応するプレビュー動画集合を決定してもよい。たとえば、表1を参照して、Netflixに対応する取得されたプレビュー動画集合は、ペッパピッグの第4シーズンの第1話の予告編、クリスマス・キャロルの第11話の予告編、男たちの挽歌の予告編及び猿の惑星：創世記の予告編を含む。
【０１６６】
ユーザによって登録された動画のプレビューを行なう特定の決定プロセスは次の通りであってもよい。すなわち、要求メッセージで搬送される情報、たとえば、要求メッセージに含まれるtype、pkgname、modelやandroididなどの情報を完全にパースして、androididに基づいて電子デバイスに対するユーザの登録行動を動画サーバが取得してもよい。ユーザの登録行動と、パースされた要求メッセージに含まれたパラメータとに基づいて、ユーザによって登録された動画のプレビュー、たとえば、ユーザによって最近視聴されたTVシリーズの次回の予告編や、ユーザによってお気に入りに加えられた動画の最新のプレビューを電子デバイスが選別する。
【０１６７】
推奨動画のプレビューを行なう特定の決定プロセスは次の通りであってもよい。すなわち、最も表示される可能性が高い動画のプレビュー、すなわち、推奨動画のプレビューを動画サーバがランダムに選択したり、動画サーバが予測システムから推奨動画のプレビューを取得することができる。予測システムは動画サーバに組み込まれても組み込まれなくてもよい。一例では、予測システムが推奨動画のプレビューを取得するプロセスは次の通りである。すなわち、初期段階の動画サーバの関連データとビッグ・データ・マイニング・ツールとに基づいて予測モデルが確立され、確立された予測モデルを用いてビッグデータコンピューティングプラットホーム上に予測コンピューティングサーバが確立される。要求メッセージを受けた後、動画サーバは要求メッセージを予測コンピューティングサーバに転送してもよい。予測コンピューティングサーバは要求メッセージで搬送された情報、たとえば、type、pkgname、modelやandroididをパースした後、確立された予測モデルを用いたプレビュー動画から、将来最も表示される可能性が高いプレビュー動画を予測して、予測結果を取得し、予測結果を動画サーバに返す。
【０１６８】
S1603．動画アプリケーションサーバが動画アプリケーションに対応するプレビュー動画集合を電子デバイスに送る。
【０１６９】
たとえば、動画アプリケーションに対応するプレビュー動画集合を取得した後、動画サーバが動画アプリケーションに対応するプレビュー動画集合を電子デバイスに送ってもよい。電子デバイスは受けたプレビュー動画集合と動画アプリケーションとを、関連づけられるように（表1に示されているように）してローカルに記憶して、動画アプリケーションに対応するプレビュー動画をその後に取得してプレビュー動画をユーザに対して表示することを容易にしてもよい。
【０１７０】
本出願の本実施形態において提供されている動画プレビュー方法に係れば、ユーザが動画アプリケーションの識別子を含むホーム画面又は最も左側の画面を開くと、電子デバイスがホーム画面又は最も左側の画面で動画アプリケーションに対応するプレビュー動画を再生することができ、ユーザは動画アプリケーションを開く必要がない。このようにして、ユーザ操作の煩雑さが低減され、電子デバイスの使用効率が改善され、電子デバイスとユーザとの効果的なやり取りが実施される。
【０１７１】
上記の機能を実施するために、電子デバイスが機能を実行するための対応するハードウェア構成及び／又はソフトウェアモジュールを含むと解されると考えることができる。本明細書で開示されている実施形態で説明されている例と考え合わせて、本出願の実施形態の部位及びアルゴリズムステップがハードウェアや、ハードウェアとコンピュータソフトウェアとの組合せによって実施されてもよいことに当業者は当然容易に想到する。機能がハードウェアによって実行されるのか、コンピュータソフトウェアによって駆動されるハードウェアによって実行されるのかは、特定の適用例と技術的解決手段の設計制約による。当業者は特定の適用例毎に説明されている機能を実施するのに異なる方法を用いることができるが、実施態様が本出願の実施形態の範囲を越えるとは当然考えられない。
【０１７２】
本出願の実施形態では、上記の方法の実施形態を実施する電子デバイスをさらに提供する。具体的には、電子デバイスは機能モジュールに分割されてもよい。たとえば、機能モジュールは対応する機能に基づいて分割を通じて得られてもよいし、2つ以上の機能が1つの処理モジュールに統合されてもよい。統合されたモジュールがハードウェアの形態で実施されてもよいしソフトウェア機能モジュールの形態で実施されてもよい。本出願の本実施形態では、モジュールの分割は例であり、論理的機能の分割にすぎない点に留意するべきである。実際の実現例では、別の分割の仕方が用いられてもよい。
【０１７３】
機能モジュールが、対応する機能に基づいて分割を通じて得られる場合、図17は上記の実施形態に係る電子デバイス1700の可能な概略構成図である。電子デバイス1700は、入力部1701、表示部1702及び取得部1703を含んでもよい。
【０１７４】
入力部1701は、電子デバイスのディスプレイインタフェースでユーザの入力、たとえば、タッチ入力、音声入力、ジェスチャ入力やフローティング操作を受け付けるように構成されている。入力部1701は、上記の方法の実施形態のS401，S405，S407及びS409を実行する際に電子デバイスをサポートするように構成されかつ／又は本明細書で説明されている技術の別のプロセスを実行するように構成されている。入力部は、タッチ画面、別のハードウェアや、ハードウェアとソフトウェアとの組合せであってもよい。
【０１７５】
表示部1702は、上記の方法の実施形態のS402，S404，S406及びS410並びに／又は本明細書で説明されている技術の別のプロセスを実行する際に電子デバイスをサポートするように構成されている。入力部は、タッチ画面、別のハードウェアや、ハードウェアとソフトウェアとの組合せであってもよい。
【０１７６】
取得部1703は、上記の方法の実施形態のS403、及び／又は本明細書で説明されている技術の別のプロセスを実行する際に電子デバイスをサポートするように構成されている。
【０１７７】
本出願の本実施形態では、さらに、図17に示されているように、電子デバイス1700は判断部1704をさらに含んでもよい。
【０１７８】
判断部1704は、上記の方法の実施形態の判断動作、及び／又は本明細書で説明されている技術の別のプロセスを実行する際に電子デバイスをサポートするように構成されている。
【０１７９】
上記の方法の実施形態のステップのすべての関連内容が、対応する機能モジュールの機能の説明に援用されてもよい。詳細は重ねてここで説明されない。
【０１８０】
当然、電子デバイス1700は上記に記載されている部位及びモジュールを含むが、これらに限定されない。たとえば、電子デバイス1700は、別のデバイスにデータや信号を送信するように構成されている送信部、別のデバイスによって送信されたデータや信号を受信するように構成されている受信部などをさらに含んでもよい。また、上記の機能部位によって実施されることが可能である特定の機能は、上記の例に記載されている方法のステップに対応する機能も含むが、これらに限定されない。電子デバイス1700の別の部位の詳細な説明については、部位に対応する方法のステップの詳細な説明を参照し、本出願の本実施形態では詳細は重ねて説明されない。
【０１８１】
統合された部位が用いられる場合、図18は上記の実施形態に係る電子デバイス1800の可能な概略構成図である。電子デバイス1800は、処理モジュール1801、記憶モジュール1802及び表示モジュール1803を含む。処理モジュール1801は、電子デバイス1800の動作を制御及び管理するように構成されている。表示モジュール1803は、処理モジュール1801の指示にしたがってコンテンツを表示するように構成されている。記憶モジュール1802は、電子デバイス1800のプログラムコード及びデータを記憶するように構成されている。さらに、電子デバイス1800は入力モジュール及び通信モジュールをさらに含んでもよい。通信モジュールは、別のネットワークエンティティと通信する際に電子デバイス1800をサポートして、電子デバイスの通信、データ交換及びインターネット接続などの機能を実施するように構成されている。
【０１８２】
処理モジュール1801はプロセッサやコントローラであってもよい。通信モジュールは、トランシーバ、RF回路、通信インタフェースなどであってもよい。記憶モジュール1802はメモリであってもよい。表示モジュールは画面やディスプレイであってもよい。入力モジュールは、タッチ画面、音声入力装置、指紋センサなどであってもよい。
【０１８３】
処理モジュール1801がプロセッサであり、通信モジュールがRF回路であり、記憶モジュール1802がメモリであり、表示モジュール1803がタッチ画面である場合、本出願の本実施形態において提供されている電子デバイス1800は図3に示されている携帯電話器であってもよい。通信モジュールはRF回路を含んでもよく、WI−FIモジュール、NFCモジュール及びBluetoothモジュールをさらに含んでもよい。RF回路、NFCモジュール、WI−FIモジュールやBluetoothモジュールなどの通信モジュールはまとめて、通信インタフェースと称される場合がある。プロセッサ、RF回路、タッチ画面及びメモリはバスを用いて接続されてもよい。
【０１８４】
図19に示されているように、本出願の他のいくつかの実施形態では、電子デバイス1900をさらに提供する。電子デバイス1900は、1つ以上のプロセッサ1901、メモリ1902、タッチ画面1903及び1つ以上のコンピュータプログラム1904を含んでもよい。上記の構成要素は1つ以上の通信バス1905を用いて接続されてもよい。タッチ画面1903はタッチセンシティブ面1906及びディスプレイ1907を含んでもよい。1つ以上のコンピュータプログラム1904はメモリ1902に記憶され、1つ以上のプロセッサ1901によって実行されるように構成されている。1つ以上のコンピュータプログラム1904は指示を含んでもよく、指示は図4及び対応する実施形態のステップを実行するのに用いられてもよい。本出願の他のいくつかの実施形態では、指示は図10及び対応する実施形態のステップを実行するのにさらに用いられてもよい。本出願の他のいくつかの実施形態では、指示は図12及び対応する実施形態のステップを実行するのにさらに用いられてもよい。本出願の他のいくつかの実施形態では、指示は図14及び対応する実施形態のステップを実行するのにさらに用いられてもよい。本出願の他のいくつかの実施形態では、指示は図16及び対応する実施形態のステップを実行するのにさらに用いられてもよい。当然、電子デバイス1900は上記に記載されている構成要素を含むが、これに限定されない。たとえば、電子デバイス1900は、高周波回路、測位装置、センサなどをさらに含んでもよい。電子デバイス1900が別の構成要素を含む場合、電子デバイス1900は図3に示されている携帯電話器であってもよい。
【０１８５】
本出願の他のいくつかの実施形態では、コンピュータ記憶媒体をさらに提供する。コンピュータ記憶媒体はコンピュータプログラムコードを記憶する。プロセッサがコンピュータプログラムコードを実行する場合、電子デバイスは図4、図10、図12、図14及び図16のいずれか1つの関連する方法のステップを実行して、上記の実施形態の動画プレビュー方法を実施する。
【０１８６】
本出願の他のいくつかの実施形態では、コンピュータプログラムプロダクトをさらに提供する。コンピュータプログラムプロダクトがコンピュータ上で動作させられる場合、コンピュータが図4、図10、図12、図14及び図16のいずれか1つの関連する方法のステップを実行して上記の実施形態の動画プレビュー方法を実施することが可能にされる。
【０１８７】
本出願の他のいくつかの実施形態では、制御デバイスをさらに提供する。制御デバイスはプロセッサ及びメモリを含む。メモリは、コンピュータプログラムコードを記憶するように構成される。コンピュータプログラムコードはコンピュータ指示を含む。プロセッサがコンピュータ指示を実行する場合、制御デバイスは図4、図10、図12、図14及び図16のいずれか1つの関連する方法のステップを実行して上記の実施形態の動画プレビュー方法を実施する。制御デバイスは、集積回路ICやシステムオンチップSOCであってもよい。集積回路は汎用の集積回路であってもよいし、フィールドプログラマブルゲートアレイFPGAであってもよいし、特定用途向け集積回路ASICであってもよい。
【０１８８】
本出願の他のいくつかの実施形態では、動画プレビュー装置をさらに提供する。装置は、上記の方法の実施の際の電子デバイスの挙動を実現する機能を持つ。この機能はハードウェアによって実施されてもよいし、対応するソフトウェアを実行するハードウェアによって実施されてもよい。ハードウェアやソフトウェアは、上記の機能に対応する1つ以上のモジュールを含む。
【０１８９】
本出願の本実施形態において提供されている電子デバイス、コンピュータ記憶媒体、コンピュータプログラムプロダクト又は制御デバイスは、上記で提供されている対応する方法を実行するように構成されている。したがって、電子デバイス、コンピュータ記憶媒体、コンピュータプログラムプロダクト又は制御デバイスによって奏されることが可能である有利な効果については、上記で提供されている対応する方法の有利な効果を参照する。詳細は重ねてここで説明されない。
【０１９０】
実現例についての上記の説明から、簡便に説明するために、上記の機能モジュールの分割が説明のための例と考えられると当業者は明確に理解することができる。実際の適用例では、上記の機能が要求に基づいて異なるモジュールに割り付けられて実施されてもよく、すなわち、上述の機能の全部又は一部を実施するように装置の内部構成が異なる機能モジュールに分割される。上記のシステム、装置及び部位の詳細な動作プロセスについては、上記の方法の実施形態の対応するプロセスを参照する。詳細は重ねてここで説明されない。
【０１９１】
本出願の実施形態において提供されているいくつかの実施形態では、開示されているシステム、装置及び方法が他の手法で実施されてもよいと当然解される。たとえば、説明されている装置の実施形態は例にすぎない。たとえば、モジュール又は部位の分割は論理的機能の分割にすぎず、現実の実現例では他の分割であってもよい。たとえば、複数の部位又は構成要素が組み合わされたり、統合されて別のシステムにされてもよいし、いくつかの特徴が省略されたり実行されなくてもよい。また、表示や説明された相互接続や直接接続や通信接続がいくつかのインタフェースを用いて実施されてもよい。装置間や部位間の間接接続や通信接続が電子的に実施されても機械的に実施されても他の形式で実施されてもよい。
【０１９２】
別体の部分として説明されている部位が物理的に分離していても物理的に分離していなくてもよいし、部位として表示されている部分が物理的部位であってもなくてもよいし、一箇所に配置されてもよいし、複数のネットワークユニットに分散されてもよい。実施形態の解決手段の目的を達成するように実際の要求に基づいて部位の一部又は全部が選択されてもよい。
【０１９３】
さらに、本出願の実施形態の機能部位が統合されて1つの処理部位にされてもよいし、各部位が物理的に単独で存在してもよいし、2つ以上の部位が統合されて1つの部位にされてもよい。統合された部位はハードウェアの形態で実施されてもソフトウェア機能部位の形態で実施されてもよい。
【０１９４】
統合された部位がソフトウェア機能部位の形態で実施されて独立した製品として販売されたり使用される場合、統合された部位はコンピュータ可読記憶媒体に記憶されてもよい。このような理解に基づいて、必須なものとしての本出願の実施形態の技術的解決手段や、先行技術に貢献する部分や、技術的解決手段の全部又は一部がソフトウェア製品の形態で実施されてもよい。コンピュータソフトウェア製品は記憶媒体に記憶され、コンピュータデバイス（パーソナルコンピュータ、サーバやネットワークデバイスであってもよい）に本出願の実施形態で説明されている方法のステップの全部又は一部を実行するように指示するいくつかの指示を含む。上記の記憶媒体は、USBフラッシュドライブ、リムーバブルハードディスク、読出し専用メモリ、ランダムアクセスメモリ、磁気ディスクや光ディスクなど、プログラムコードを記憶することができる任意の媒体を含む。
【０１９５】
上記の説明は本出願の実施形態の特定の実現例にすぎず、本出願の実施形態の保護範囲を限定することは意図されていない。本出願の実施形態で開示されている技術的範囲内の任意の変形や置換が本出願の実施形態の保護範囲に含まれるものとする。したがって、本出願の実施形態の保護範囲は請求項の保護範囲にしたがうものとする。
【符号の説明】
【０１９６】
1,2,3  プレビュー動画
101  電子デバイス
102  動画サーバ
201  ステータスバー
202  ナビゲーションバー
203  ホーム画面インジケータ
204  ホームボタン
301  プロセッサ
302  高周波回路、RF回路
303  メモリ
304  タッチ画面
304−1  タッチセンシティブ面
304−2  ディスプレイ
305  Bluetooth装置
306  センサ
307  WI−FI装置
308  測位装置
309  オーディオ回路
310  周辺インタフェース
311  電力供給装置、電源システム
312  スピーカ
313  マイク
501  ロック解除インタフェース
502,504,506,604,701  第1の画面
503,505,507,508,509,601,602  アイコン
603  ホーム画面
702  フォルダ
703  アイコン
800  動画プレビューウインドウ
801  プレビュー動画再生エリア
802  操作エリア
802−1  「一時停止／再生」ボタン
802−2  「前」ボタン
802−3  「次」ボタン
802−4  「閉」ボタン
802−5  「最大化」ボタン
901  ブランクエリア
902  右下角のエリア
1101,1301,1501  プレビュー動画再生エリア
1102,1302,1502  操作エリア
1102−1  「次」ボタン
1302−1  「閉」ボタン
1502−1  「最大化」ボタン
1503  関連コンテンツ
1700,1800,1900  電子デバイス
1701  入力部
1702  表示部
1703  取得部
1704  判断部
1801  処理モジュール
1802  記憶モジュール
1803  表示モジュール
1901  プロセッサ
1902  メモリ
1903  タッチ画面
1904  コンピュータプログラム
1905  通信バス
1906  タッチセンシティブ面
1907  ディスプレイ
【図１】
2021517319.tif 000006
【図２Ａ】
2021517319.tif 000007
【図２Ｂ】
2021517319.tif 000008
【図２Ｃ】
2021517319.tif 000009
【図３】
2021517319.tif 000010
【図４】
2021517319.tif 000011
【図５Ａ（１）】
2021517319.tif 000012
【図５Ａ（２）】
2021517319.tif 000013
【図５Ａ（３）】
2021517319.tif 000014
【図５Ｂ（１）】
2021517319.tif 000015
【図５Ｂ（２）】
2021517319.tif 000016
【図５Ｂ（３）】
2021517319.tif 000017
【図５Ｃ（１）】
2021517319.tif 000018
【図５Ｃ（２）】
2021517319.tif 000019
【図５Ｃ（３）】
2021517319.tif 000020
【図６（ａ）】
2021517319.tif 000021
【図６（ｂ）】
2021517319.tif 000022
【図６（ｃ）】
2021517319.tif 000023
【図７（ａ）】
2021517319.tif 000024
【図７（ｂ）】
2021517319.tif 000025
【図８】
2021517319.tif 000026
【図９Ａ】
2021517319.tif 000027
【図９Ｂ】
2021517319.tif 000028
【図１０】
2021517319.tif 000029
【図１１（ａ）】
2021517319.tif 000030
【図１１（ｂ）】
2021517319.tif 000031
【図１２】
2021517319.tif 000032
【図１３（ａ）】
2021517319.tif 000033
【図１３（ｂ）】
2021517319.tif 000034
【図１４】
2021517319.tif 000035
【図１５（ａ）】
2021517319.tif 000036
【図１５（ｂ）】
2021517319.tif 000037
【図１６】
2021517319.tif 000038
【図１７】
2021517319.tif 000039
【図１８】
2021517319.tif 000040
【図１９】
2021517319.tif 000041
【国際調査報告】
2021517319.tif 000042
2021517319.tif 000043
2021517319.tif 000044
2021517319.tif 000045